(57)【要約】【課題】複数の通信パラメータセットを混在させて通信する通信システムにおける適切な測定報告処理の仕組みを提供する。【解決手段】単位リソースにおいて複数の第１の通信パラメータセットを用いた通信が可能な基地局へ測定報告処理のトリガ情報を通知し、前記基地局により前記トリガ情報に基づいて設定された、測定報告処理の対象とする第２の通信パラメータセットに基づいて前記基地局から受信した信号を測定し測定結果を示す情報を前記基地局に報告する測定報告処理部、を備える通信装置。【選択図】図１
2018196005.tif 000002
【特許請求の範囲】
【請求項１】
単位リソースにおいて複数の第１の通信パラメータセットを用いた通信が可能な基地局へ測定報告処理のトリガ情報を通知し、前記基地局により前記トリガ情報に基づいて設定された、測定報告処理の対象とする第２の通信パラメータセットに基づいて、前記基地局から受信した信号を測定し測定結果を示す情報を前記基地局に報告する測定報告処理部、
を備える通信装置。
【請求項２】
前記測定報告処理部は、受信したひとつの前記信号について、設定された複数の前記第２の通信パラメータセットの各々に基づいて測定する、請求項１に記載の通信装置。
【請求項３】
前記信号の送信に用いられる前記第１の通信パラメータセットと少なくともひとつの前記第２の通信パラメータセットとは異なる、請求項２に記載の通信装置。
【請求項４】
第２の通信パラメータセットは、波形及び物理層パラメータを含む、請求項１に記載の通信装置。
【請求項５】
第２の通信パラメータセットは、波形、周波数範囲、ＣＰ（Cyclic  Prefix）長、スロット長、又はターゲットＢＬＥＲ（Block  Error  Rate）の少なくとも１つ以上を含む、請求項４に記載の通信装置。
【請求項６】
前記測定結果を示す情報は、前記測定報告処理の対象とした波形を示す情報を含む、請求項４に記載の通信装置。
【請求項７】
前記トリガ情報は、測定報告処理の実施要求、前記基地局からの信号の受信応答、又は前記測定結果を示す情報の少なくともいずれかである、請求項１に記載の通信装置。
【請求項８】
単位リソースにおいて複数の第１の通信パラメータセットを用いて通信装置と通信する通信制御部と、
前記通信装置からの測定報告処理のトリガ情報の通知に基づいて、前記通信装置による測定報告処理の対象とする第２の通信パラメータセットの設定を前記通信装置に行う測定報告処理部と、
を備える基地局。
【請求項９】
前記通信制御部は、前記通信装置による第２の通信パラメータセットに基づく測定結果を示す情報に基づいて、前記第１の通信パラメータセットを制御する、請求項８に記載の基地局。
【請求項１０】
前記測定報告処理部は、前記通信装置による第２の通信パラメータセットに基づく測定結果を示す情報に基づいて、前記第２の通信パラメータセットを制御する、請求項８に記載の基地局。
【請求項１１】
前記測定報告処理部は、前記通信装置による測定結果を示す情報の報告に用いられるリソースを前記通信装置に設定する、請求項８に記載の基地局。
【請求項１２】
単位リソースにおいて複数の第１の通信パラメータセットを用いた通信が可能な基地局へ測定報告処理のトリガ情報を通知し、前記基地局により前記トリガ情報に基づいて設定された、測定報告処理の対象とする第２の通信パラメータセットに基づいて、前記基地局から受信した信号を測定し測定結果を示す情報を前記基地局に報告すること、
を含むプロセッサにより実行される方法。
【請求項１３】
単位リソースにおいて複数の第１の通信パラメータセットを用いて通信装置と通信することと、
前記通信装置からの測定報告処理のトリガ情報の通知に基づいて、前記通信装置による測定報告処理の対象とする第２の通信パラメータセットの設定を前記通信装置に行うことと、
を含むプロセッサにより実行される方法。
【請求項１４】
コンピュータを、
単位リソースにおいて複数の第１の通信パラメータセットを用いた通信が可能な基地局へ測定報告処理のトリガ情報を通知し、前記基地局により前記トリガ情報に基づいて設定された、測定報告処理の対象とする第２の通信パラメータセットに基づいて、前記基地局から受信した信号を測定し測定結果を示す情報を前記基地局に報告する測定報告処理部、
として機能させるためのプログラムが記録された記録媒体。
【請求項１５】
コンピュータを、
単位リソースにおいて複数の第１の通信パラメータセットを用いて通信装置と通信する通信制御部と、
前記通信装置からの測定報告処理のトリガ情報の通知に基づいて、前記通信装置による測定報告処理の対象とする第２の通信パラメータセットの設定を前記通信装置に行う測定報告処理部と、
として機能させるためのプログラムが記録された記録媒体。
【発明の詳細な説明】
【技術分野】
【０００１】
本開示は、通信装置、基地局、方法及び記録媒体に関する。
【背景技術】
【０００２】
近年、マルチキャリア変調技術（即ち、多重技術又はマルチアクセス技術）の代表として、ＯＦＤＭ（Orthogonal  Frequency  Division  Multiplexing：直交周波数分割多重)、及びＯＦＤＭＡ（Orthogonal  Frequency  Division  Multiple  Access：直交周波数分割多元接続)が、多様な無線システムで実用化されている。実用例としては、ディジタル放送、無線ＬＡＮ、及びセルラーシステムが挙げられる。ＯＦＤＭは、マルチパス伝搬路に対する耐性があり、ＣＰ（Cyclic  Prefix：サイクリックプリフィックス）を採用することで、マルチパス遅延波に起因するシンボル間干渉の発生を回避することが可能である。一方で、ＯＦＤＭの欠点として、帯域外輻射のレベルが大きい点が挙げられる。また、ＰＡＰＲ（Peak-to-Average  Power  Ratio：ピーク対平均電力比）が高くなる傾向があり、送受信装置で発生する歪に弱いことも、欠点として挙げられる。
【０００３】
このようなＯＦＤＭの欠点であるＰＡＰＲを低減し、且つ、マルチパス伝搬路への耐性を持たせる方法として、ＳＣ（Single-Carrier：シングルキャリア）変調とＦＤＥ（Frequency  Domain  Equalization：周波数領域等化）とを組み合わせたＳＣ−ＦＤＥの採用が挙げられる。ＳＣ−ＦＤＥは、ＳＣ−ＦＤＭＡ（Single  Carrier.  Frequency  Division  Multiple  Access）又はＤＦＴ−Ｓ−ＯＦＤＭＡ（Discrete  Fourier  Transform）−Spread  OFDMA）とも称される場合がある。
【０００４】
他に、ＯＦＤＭの欠点である帯域外輻射を抑制可能な、新たな変調技術が登場している。本変調技術は、ＯＦＤＭにおけるＳ／Ｐ（Serial-to-Parallel）変換後のシンボルに対して、パルス整形フィルタ（Pulse  Shape  Filter）を適用することで、帯域外輻射の抑制を図るものである。フィルタリングの対象は、帯域全体、所定の数のサブキャリア単位（例えば、ＬＴＥにおけるリソースブロック単位等)、サブキャリアごと、などが考えられる。本変調技術の呼び名については、ＵＦ−ＯＦＤＭ（Universal  Filtered-OFDM）、ＵＦＭＣ（Universal  Filtered  Multi-Carrier）、ＦＢＭＣ（Filter  Bank  Multi-Carrier）、ＧＯＦＤＭ（Generalized  OFDM）、ＧＦＤＭ（Generalized  Frequency  Division  Multiplexing）など、多様に存在する。本明細書では、本変調技術をＧＦＤＭと称するが、もちろんその呼称は狭義の意味を持たない。
【０００５】
ＧＦＤＭに関する技術の一例として、例えば下記特許文献１では、ＧＦＤＭに対応する端末とＧＦＤＭに非対応なレガシ端末を収容可能にするために、複数の通信パラメータセットを混在させて通信する通信システムに関する技術が開示されている。具体的には、複数のサブキャリア間隔及び複数のサブシンボル長を混在させることが可能な通信システムに関する技術が開示されている。
【先行技術文献】
【特許文献】
【０００６】
【特許文献１】国際公開第２０１７／０５６７９６号
【発明の概要】
【発明が解決しようとする課題】
【０００７】
上記特許文献１に開示された技術は、開発されてから未だ日が浅く、複数の通信パラメータセットを混在させて通信する通信システムに関する検討が十分であるとは言い難い。例えば、複数の通信パラメータセットを混在させて通信する通信システムにおける測定報告処理も、検討が十分ではない観点のひとつである。
【０００８】
そこで、本開示では、複数の通信パラメータセットを混在させて通信する通信システムにおける適切な測定報告処理の仕組みを提供する。
【課題を解決するための手段】
【０００９】
本開示によれば、単位リソースにおいて複数の第１の通信パラメータセットを用いた通信が可能な基地局へ測定報告処理のトリガ情報を通知し、前記基地局により前記トリガ情報に基づいて設定された、測定報告処理の対象とする第２の通信パラメータセットに基づいて、前記基地局から受信した信号を測定し測定結果を示す情報を前記基地局に報告する測定報告処理部、を備える通信装置が提供される。
【００１０】
また、本開示によれば、単位リソースにおいて複数の第１の通信パラメータセットを用いて通信装置と通信する通信制御部と、前記通信装置からの測定報告処理のトリガ情報の通知に基づいて、前記通信装置による測定報告処理の対象とする第２の通信パラメータセットの設定を前記通信装置に行う測定報告処理部と、を備える基地局が提供される。
【００１１】
また、本開示によれば、単位リソースにおいて複数の第１の通信パラメータセットを用いた通信が可能な基地局へ測定報告処理のトリガ情報を通知し、前記基地局により前記トリガ情報に基づいて設定された、測定報告処理の対象とする第２の通信パラメータセットに基づいて、前記基地局から受信した信号を測定し測定結果を示す情報を前記基地局に報告すること、を含むプロセッサにより実行される方法が提供される。
【００１２】
また、本開示によれば、単位リソースにおいて複数の第１の通信パラメータセットを用いて通信装置と通信することと、前記通信装置からの測定報告処理のトリガ情報の通知に基づいて、前記通信装置による測定報告処理の対象とする第２の通信パラメータセットの設定を前記通信装置に行うことと、を含むプロセッサにより実行される方法が提供される。
【００１３】
また、本開示によれば、コンピュータを、単位リソースにおいて複数の第１の通信パラメータセットを用いた通信が可能な基地局へ測定報告処理のトリガ情報を通知し、前記基地局により前記トリガ情報に基づいて設定された、測定報告処理の対象とする第２の通信パラメータセットに基づいて、前記基地局から受信した信号を測定し測定結果を示す情報を前記基地局に報告する測定報告処理部、として機能させるためのプログラムが記録された記録媒体が提供される。
【００１４】
また、本開示によれば、コンピュータを、単位リソースにおいて複数の第１の通信パラメータセットを用いて通信装置と通信する通信制御部と、前記通信装置からの測定報告処理のトリガ情報の通知に基づいて、前記通信装置による測定報告処理の対象とする第２の通信パラメータセットの設定を前記通信装置に行う測定報告処理部と、として機能させるためのプログラムが記録された記録媒体が提供される。
【発明の効果】
【００１５】
以上説明したように本開示によれば、複数の通信パラメータセットを混在させて通信する通信システムにおける適切な測定報告処理の仕組みが提供される。なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１６】
【図１】ＧＦＤＭをサポートする送信装置の構成の一例を説明するための説明図である。
【図２】ＯＦＤＭをサポートする送信装置の構成の一例を説明するための説明図である。
【図３】ＳＣ−ＦＤＥをサポートする送信装置の構成の一例を説明するための説明図である。
【図４】本開示の一実施形態に係るシステムの概略的な構成の一例を示す説明図である。
【図５】本開示の一実施形態に係る基地局の構成の一例を示すブロック図である。
【図６】本開示の一実施形態に係る端末装置の構成の一例を示すブロック図である。
【図７】本実施形態に係るＧＦＤＭにおける周波数リソース及び時間リソースの構成の一例を説明するための説明図である。
【図８】本実施形態に係るＧＦＤＭをサポートする第１の送信装置の構成の一例を説明するための説明図である。
【図９】本実施形態に係るＧＦＤＭをサポートする第１の送信装置の構成の一例を説明するための説明図である。
【図１０】本実施形態に係るＧＦＤＭをサポートする第１の送信装置の構成の一例を説明するための説明図である。
【図１１】本実施形態に係るＧＦＤＭをサポートする第１の送信装置の構成の一例を説明するための説明図である。
【図１２】本実施形態に係るＧＦＤＭをサポートする第２の送信装置の構成の一例を説明するための説明図である。
【図１３】本実施形態に係るＧＦＤＭをサポートする第２の送信装置の構成の一例を説明するための説明図である。
【図１４】本実施形態に係るリソース構成の一例を示す図である。
【図１５】ＣＰ長と電波伝搬路の時間領域チャネルインパルス応答との関係性の一例を示す図である。
【図１６】周波数チャネルにおける周波数範囲ごとの第１の通信パラメータセットの一例を示す図である。
【図１７】本実施形態に係るシステムにおいて実行される測定報告処理の流れの一例を示すシーケンス図である。
【図１８】本実施形態に係るシステムにおいて実行される測定報告処理の流れの他の一例を示すシーケンス図である。
【図１９】想定する測定の周波数範囲と想定するＤＦＴ拡散の周波数範囲とが同一である場合を示す図である。
【図２０】想定する測定の周波数範囲と想定するＤＦＴ拡散の周波数範囲とが異なる場合を示す図である。
【図２１】端末装置による測定処理のブロックダイヤグラムの一例を示す図である。
【図２２】本実施形態に係る端末装置により実行される測定処理の流れの一例を示す図である。
【図２３】本実施形態に係る端末装置により実行される波形ごとの測定処理の流れの一例を示す図である。
【図２４】本実施形態に係る端末装置により実行されるＣＰ長ごとのＣＱＩの測定処理の流れの一例を示す図である。
【図２５】本実施形態に係る端末装置により実行される報告処理の流れの一例を示す図である。
【図２６】ｅＮＢの概略的な構成の第１の例を示すブロック図である。
【図２７】ｅＮＢの概略的な構成の第２の例を示すブロック図である。
【図２８】スマートフォンの概略的な構成の一例を示すブロック図である。
【図２９】カーナビゲーション装置の概略的な構成の一例を示すブロック図である。
【発明を実施するための形態】
【００１７】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１８】
また、本明細書及び図面において、実質的に同一の機能構成を有する要素を、同一の符号の後に異なるアルファベットを付して区別する場合もある。例えば、実質的に同一の機能構成を有する複数の要素を、必要に応じて端末装置２００Ａ、２００Ｂ及び２００Ｃのように区別する。ただし、実質的に同一の機能構成を有する複数の要素の各々を特に区別する必要がない場合、同一符号のみを付する。例えば、端末装置２００Ａ、２００Ｂ及び２００Ｃを特に区別する必要が無い場合には、単に端末装置２００と称する。
【００１９】
なお、説明は以下の順序で行うものとする。
１．はじめに
１．１．通信品質測定及びリソーススケジューリング
１．２．波形変調方式
１．３．物理層パラメータ
１．４．技術的課題
２．構成例
２．１．全体構成
２．２．基地局の構成
２．３．端末装置の構成
３．技術的特徴
３．１．ＧＦＤＭ
３．２．通信パラメータセットの混在
３．３．測定報告処理
４．応用例
５．まとめ
【００２０】
＜＜１．はじめに＞＞
以下、本開示の一実施形態に関連する技術について説明する。
【００２１】
＜１．１．通信品質測定及びリソーススケジューリング＞
通信システムは、典型的には、複数のユーザの通信装置を収容し、マルチアクセスを可能にすることが望ましい。通信システムは、マルチアクセスを実現するために、どの通信装置が、どの無線リソースを利用するかを設定する。無線リソースとしては、例えば、周波数リソース（例えば、リソースブロックなど）、時間リソース（例えば、スロット、フレームなど）、空間リソース（アンテナ、アンテナポート、プリコーディング行列など）、及び他の非直交リソース（例えば、拡散符号、インタリーブパターン、電力レベルなど）が挙げられる。上記設定を実施することは、リソーススケジューリング又はリソース割り当て（Resource  Scheduling、Resource  Allocation、又はResource  Assignment）とも称される。
【００２２】
セルラーシステムを例にすると、典型的には、基地局がスケジューリングを実施して、その結果（即ち、無線リソースの割り当て結果）を端末装置に通知する。基地局は、典型的には物理制御チャネル（Physical  Control  Channel）及び制御情報（Control  Information）を用いて、割当て単位時間（例えば、フレーム、スロットなど)ごとに端末装置へ動的（Dynamic）にスケジューリング結果を通知する。無線リソースの割り当てがない端末装置に対しては、通知自体がスキップされてもよい。制御情報のフォーマット（Control  Information  Format）及びＩＥ（Information  Elements）については、対象となるシステムにおいてあらかじめ定義されている。
【００２３】
基地局がスケジューリングを高効率に実施するためには、基地局と通信相手の端末装置との間の、電波伝搬状況及び干渉状況などを鑑みた通信品質を、基地局側が知ることが重要となる。そのための方法の一つとして、上記通信品質を端末装置が測定し、基地局へ測定結果をフィードバックする方法が知られている。この測定は、単に測定（Measurement）と称されることもあれば、特にＣＳＩ（Channel  State  Information）測定と称されることもある。測定すべき項目は、対象となるシステムにおいてあらかじめ定義されている。例えば、ＬＴＥにおいては、ＲＩ（Rank  Indicator）、ＰＭＩ（Precoding  Matrix  Indicator）、及びＣＱＩ（Channel  Quality  Indicator）が、ＣＳＩ測定において主に測定すべき項目として定義されている。
【００２４】
ＲＩは、ＭＩＭＯ（multiple-input  and  multiple-output）電波伝搬路の特性などを鑑みた、適切な多重可能な空間レイヤ数(空間ストリーム数、MIMO電波伝搬路行列のランク数)の指標である。ＰＭＩは、ＭＩＭＯ電波伝搬路の特性などを鑑みた、適切なプリコーディング行列の指標である。ＣＱＩは、ＳＩＮＲ（Signal  to  Noise  plus  Interference  Ratio、信号対雑音干渉電力費）などを鑑みた、適切な送受信が可能なディジタル変調方式、誤り訂正符号（FEC（Forward  Error  Correction）の符号化率（Code  Rate、Coding  Rate)、又はその組み合わせの指標である。適切な送受信が可能であることは、例えばブロック誤り率が基準を満たすこと（例えば、ＢＬＥＲ（Block  Error  Rate）＝10％など）として定義される。ディジタル変調方式としては、例えばＢＰＳＫ、ＱＰＳＫ、１６ＱＡＭ、６４ＱＡＭ、２５６ＱＡＭ、１０２４ＱＡＭ、及び４０９６ＱＡＭなどがある。
【００２５】
＜１．２．波形変調方式＞
以下、波形変調方式の一例として、ＧＦＤＭ、ＯＦＤＭ及びＳＣ−ＦＤＥについて説明する。
【００２６】
（ＧＦＤＭ）
図１は、ＧＦＤＭをサポートする送信装置の構成の一例を説明するための説明図である。図１を参照すると、上位層からのビット列（例えば、トランスポートブロック）が処理されて、ＲＦ（radio  frequency）信号が出力される。ビット列について、図１に示されるように、ＦＥＣ（Forward  Error  Correction）符号化、レートマッチング、スクランブリング、インタリービング及びビット列からシンボル（例えば、複素シンボルであってもよく、信号点とも称され得る）へのマッピング（Bit-to-Complex  Constellation  Mapping）が行われ、その後変調が行われる。ビット列からシンボルへのマッピングでは、ＢＰＳＫ、ＱＰＳＫ、８ＰＳＫ、１６ＱＡＭ、６４ＱＡＭ、又は２５６ＱＡＭ等の多様なコンスタレーションが用いられ得る。変調においては、まずＳ／Ｐ変換が行われ、分割された複数の信号の各々に対して、リソースエレメントマッピング、オーバーサンプリング、及びパルス整形が行われ、その後行われる周波数から時間への変換（例えば、ＩＤＦＴ（Inverse  Discrete  Fourier  Transform）又はＩＦＦＴ（Inverse  Fast  Fourier  Transform））により一つの時間領域の信号（即ち、時間波形）に合成される。変調の後、ＣＰ（Cyclic  Prefix）付加、並びにアナログ処理及びＲＦ処理が行われる。
【００２７】
ＧＦＤＭでは、所定の単位でフィルタリング（即ち、パルス整形）を施すために、サブキャリア上のシンボルに対してオーバーサンプリングが実施される。そして、オーバーサンプリング後のシンボルに対して、フィルタリングが実施される。周波数から時間への変換は、このフィルタリング後のシンボルに対して実施されることとなる。ＧＦＤＭは、フィルタリングにより、ＯＦＤＭの欠点であった帯域外輻射を抑制することが可能である。また、ＧＦＤＭは、ＭＩＭＯ（multiple-input  and  multiple-output）等と組み合わされた場合でも、受信装置側がすべての処理を周波数領域で行うことを可能にする。ただし、フィルタリングの影響によって、エレメントごとにシンボル間干渉が発生するために、干渉キャンセラが受信装置側で用いられる。この点、ＯＦＤＭ及びＳＣ−ＦＤＥでは、シンプルなＦＤＥにより干渉の抑制が実現されていた。
【００２８】
このように、ＧＦＤＭは、帯域外輻射の欠点を克服する代償として、受信装置が複雑化する問題がある。ＭＴＣ（Machine  Type  Communication）装置及びＩｏＴ（Internet  of  Things）装置等の、低コスト及び低消費電力での通信が望ましい装置に関しては、このような問題は致命的になり兼ねない。
【００２９】
（ＯＦＤＭ）
図２は、ＯＦＤＭをサポートする送信装置の構成の一例を説明するための説明図である。図２を参照すると、図１を参照して説明したＧＦＤＭをサポートする送信装置とは、破線で囲った変調部分について相違する。本相違点について説明すると、まずＳ／Ｐ変換が行われ、分割された複数の信号の各々に対してリソースエレメントマッピングが行われる。これにより、シンボルが所定のサブキャリアへと配置される。そして、所定数のサブキャリアに対して周波数から時間への変換（例えば、ＩＤＦＴ又はＩＦＦＴ）が行われることで、一つの時間領域の信号に合成される。
【００３０】
上述したように、ＯＦＤＭは、マルチパス伝搬路に対する耐性があり、マルチパス遅延波に起因するシンボル間干渉の発生を回避することが可能である。一方で、ＯＦＤＭの欠点として、帯域外輻射のレベルが大きい点が挙げられる。また、ＰＡＰＲが高くなる傾向があり、送受信装置で発生する歪に弱いことも、欠点として挙げられる。
【００３１】
（ＳＣ−ＦＤＥ）
図３は、ＳＣ−ＦＤＥをサポートする送信装置の構成の一例を説明するための説明図である。図３を参照すると、図１を参照して説明したＧＦＤＭをサポートする送信装置とは、破線で囲った変調部分について相違する。本相違点について説明すると、まず、時間から周波数への変換（例えば、ＤＦＴ（Discrete  Fourier  Transform）又はＦＦＴ（Inverse  Fast  Fourier  Transform））が実施される。その後、周波数領域でのリソースエレメントマッピングが行われ、周波数から時間への変換により一つの時間領域の信号に合成される。その後、ＣＰが付加されるので、受信装置は、ＦＤＥを実施することが容易になる。
【００３２】
上述したように、ＳＣ−ＦＤＥは、ＰＡＰＲを低減しつつ、マルチパス伝搬路にも耐性を持たせることができる。その一方で、ＳＣ−ＦＤＥは、ＭＩＭＯと組み合わされた場合に、受信装置側での復号処理が複雑になる（例えば、ターボ等化、及び繰り返し干渉除去を行う）などの欠点もある。
【００３３】
＜１．３．物理層パラメータ＞
通信システムでは、波形（Waveform）に関連する物理層パラメータ（Numerologyとも称される）が複数存在する。そのような物理層パラメータとしては、サブキャリア間隔(Subcarrier  Spacing(SCS))、シンボル長(Symbol  Length)、フレーム長(Frame  Length、Transmission  Time  Interval  (TTI))、スロット長(Slot  Length)、サイクリックプリフィックス長(Cyclic  Prefix  (CP)  Length、Guard  Interval  (GI)  Length)、などが挙げられる。
【００３４】
４Ｇ以前では、これらのパラメータの値として、基本的には一つのデフォルト値が定められており、オプションとして別の値が一あるいは複数定められていた。
【００３５】
一方、５Ｇ以降の通信システムでは、要求条件の異なる複数のユースケースをシステムに収容することが要求される。そのようなユースケースとしては、ｅＭＢＢ（Enhanced  mobile  broadband）、ｍＭＴＣ（Massive  machine  type  communications）およびＵＲＬＬＣ（Ultra  reliable  and  low  latency  communications）等が挙げられる。上記特許文献１では、このような要求を鑑みて、複数のサブキャリア間隔及び複数のサブシンボル長の値を一の周波数チャネルおよび時間リソース内で同時に収容・サポートすることを可能にする技術が開示されている。かかる技術によれば、多様な通信品質（スループット、遅延、移動耐性等)を有するデータサービスを、同時に複数収容可能なＧＦＤＭシステムの構築が可能となる。例えば、一般的なデータダウンロードサービス、ストリーミングサービスに加えて、ＩｏＴ及びＭ２Ｍのような通信を同時にサポートすることが可能となる。
【００３６】
＜１．４．技術的課題＞
通信システムは、より高効率に多様なサービスを提供可能になることが求められている。そこで、本開示では、複数の波形及び複数の物理層パラメータの値を、一のリソース内で同時に収容・サポートにすることが可能な通信システムを提案する。具体的には、本開示では、複数の波形及び複数の物理層パラメータの値を、一のリソース内で同時に収容・サポートにする通信システムにおける、通信品質の測定及びスケジューリングに関する技術を提案する。
【００３７】
＜＜２．構成例＞＞
＜２．１．全体構成＞
続いて、図４を参照して、本開示の一実施形態に係るシステム１の概略的な構成を説明する。図４は、本開示の一実施形態に係るシステム１の概略的な構成の一例を示す説明図である。図４を参照すると、システム１は、基地局１００及び端末装置２００を含む。ここでは、端末装置２００は、ユーザとも呼ばれる通信装置である。当該ユーザは、ユーザ機器（User  Equipment：ＵＥ）とも呼ばれ得る。ここでのＵＥは、ＬＴＥ又はＬＴＥ−Ａにおいて定義されているＵＥであってもよく、より一般的に通信機器を意味してもよい。
【００３８】
（１）基地局１００
基地局１００は、セルラーシステム（又は移動体通信システム）の基地局として機能する通信装置である。基地局１００は、基地局１００のセル１０内に位置する端末装置（例えば、端末装置２００）との無線通信を行う。例えば、基地局１００は、端末装置へのダウンリンク信号を送信し、端末装置からのアップリンク信号を受信する。
【００３９】
（２）端末装置２００
端末装置２００は、セルラーシステム（又は移動体通信システム）において通信可能である。端末装置２００は、セルラーシステムの基地局（例えば、基地局１００）との無線通信を行う。例えば、端末装置２００は、基地局からのダウンリンク信号を受信し、基地局へのアップリンク信号を送信する。
【００４０】
（３）多重化／多元接続
とりわけ本開示の一実施形態では、基地局１００は、直交多元接続／非直交多元接続により、複数の端末装置との無線通信を行う。より具体的には、基地局１００は、ＧＦＤＭを用いた多重化／多元接続により、複数の端末装置２００との無線通信を行う。
【００４１】
例えば、基地局１００は、ダウンリンクにおいて、ＧＦＤＭを用いた多重化／多元接続により、複数の端末装置２００との無線通信を行う。より具体的には、例えば、基地局１００は、複数の端末装置２００への信号を、ＧＦＤＭを用いて多重化する。この場合に、例えば、端末装置２００は、所望信号（即ち、端末装置２００への信号）を含む多重化信号から、干渉として１つ以上の他の信号を除去し、上記所望信号を復号する。
【００４２】
なお、基地局１００は、ダウンリンクの代わりに、又はダウンリンクとともに、アップリンクにおいて、ＧＦＤＭを用いた多重化／多元接続により、複数の端末装置との無線通信を行ってもよい。この場合に、基地局１００は、当該複数の端末装置により送信される信号を含む多重化信号から、当該信号の各々を復号してもよい。
【００４３】
（４）補足
本技術は、ＨｅｔＮｅｔ（Heterogeneous  Network）又はＳＣＥ（Small  Cell  Enhancement）などのマルチセルシステムにおいても適用可能である。また、本技術は、ＭＴＣ装置及びＩｏＴ装置等に関しても適用可能である。
【００４４】
＜２．２．基地局の構成＞
図５は、本開示の一実施形態に係る基地局１００の構成の一例を示すブロック図である。図５を参照すると、基地局１００は、アンテナ部１１０、無線通信部１２０、ネットワーク通信部１３０、記憶部１４０及び処理部１５０を備える。
【００４５】
（１）アンテナ部１１０
アンテナ部１１０は、無線通信部１２０により出力される信号を電波として空間に放射する。また、アンテナ部１１０は、空間の電波を信号に変換し、当該信号を無線通信部１２０へ出力する。
【００４６】
（２）無線通信部１２０
無線通信部１２０は、信号を送受信する。例えば、無線通信部１２０は、端末装置へのダウンリンク信号を送信し、端末装置からのアップリンク信号を受信する。
【００４７】
（３）ネットワーク通信部１３０
ネットワーク通信部１３０は、情報を送受信する。例えば、ネットワーク通信部１３０は、他のノードへの情報を送信し、他のノードからの情報を受信する。例えば、上記他のノードは、他の基地局及びコアネットワークノードを含む。
【００４８】
（４）記憶部１４０
記憶部１４０は、基地局１００の動作のためのプログラム及び様々なデータを一時的に又は恒久的に記憶する。
【００４９】
（５）処理部１５０
処理部１５０は、基地局１００の様々な機能を提供する。処理部１５０は、通信制御部１５１及び測定報告処理部１５３を含む。通信制御部１５１は、後述する第１の通信パラメータセットを用いた端末装置２００との通信を制御する機能を有する。測定報告処理部１５３は、後述する第２の通信パラメータセットの設定等の、端末装置２００による測定報告処理を制御する機能を有する。なお、処理部１５０は、これらの構成要素以外の他の構成要素をさらに含み得る。即ち、処理部１５０は、これらの構成要素の動作以外の動作も行い得る。
【００５０】
＜２．３．端末装置の構成＞
図６は、本開示の一実施形態に係る端末装置２００の構成の一例を示すブロック図である。図６を参照すると、端末装置２００は、アンテナ部２１０、無線通信部２２０、記憶部２３０及び処理部２４０を備える。
【００５１】
（１）アンテナ部２１０
アンテナ部２１０は、無線通信部２２０により出力される信号を電波として空間に放射する。また、アンテナ部２１０は、空間の電波を信号に変換し、当該信号を無線通信部２２０へ出力する。
【００５２】
（２）無線通信部２２０
無線通信部２２０は、信号を送受信する。例えば、無線通信部２２０は、基地局からのダウンリンク信号を受信し、基地局へのアップリンク信号を送信する。
【００５３】
（３）記憶部２３０
記憶部２３０は、端末装置２００の動作のためのプログラム及び様々なデータを一時的に又は恒久的に記憶する。
【００５４】
（４）処理部２４０
処理部２４０は、端末装置２００の様々な機能を提供する。処理部２４０は、通信制御部２４１及び測定報告処理部２４３を含む。通信制御部２４１は、後述する第１の通信パラメータセットを用いた基地局１００との通信を制御する機能を有する。測定報告処理部２４３は、後述する第２の通信パラメータセットに基づいて測定報告処理を制御する機能を有する。なお、処理部２４０は、この構成要素以外の他の構成要素をさらに含み得る。即ち、処理部２４０は、この構成要素の動作以外の動作も行い得る。
【００５５】
＜＜３．技術的特徴＞＞
続いて、システム１の技術的特徴を説明する。詳しくは、システム１に含まれる送信装置及び受信装置に関する技術的特徴を説明する。以下では、ダウンリンクを想定して、送信装置が基地局１００であり受信装置が端末装置２００であるものとして説明するが、アップリンクにおいても同様の説明が成り立つ。
【００５６】
＜３．１．ＧＦＤＭ＞
（１）無線リソース
図７は、本実施形態に係るＧＦＤＭにおける周波数リソース及び時間リソースの構成の一例を説明するための説明図である。本実施形態に係るシステム１に、図７に示すコンポーネントキャリア（ＣＣ：Component  Carrier）が割り当てられるものとする。コンポーネントキャリアの帯域幅をＢＣＣとする。ここでのコンポーネントキャリアは、ＬＴＥ又はＬＴＥ−Ａにおいて定義されているコンポーネントキャリアであってもよく、より一般的に単位周波数帯域を意味していてもよい。このコンポーネントキャリアの中で、周波数リソースは、さらにＮＲＢ個のリソースブロック（ＲＢ：Resource  Block）と呼ばれる、所定の帯域幅ＢＲＢのブロックに分割されている。マルチアクセスを実現する場合には、このリソースブロックを単位としてユーザへの周波数リソースの割当てが行われることが望ましい。リソースブロックの中は、さらにサブキャリアという単位に分割される。
【００５７】
ここで、一般的なＧＦＤＭ（あるいはＯＦＤＭ）では、このサブキャリアの間隔（以下では、サブキャリア間隔（Subcarrier  Spacing）とも称する）については対象のシステム内で固定の値が設定されていた。例えば、ＬＴＥのＯＦＤＭでは、１５ｋＨｚがサブキャリア間隔として固定的に設定される。サブキャリア帯域幅が、サブキャリア間隔として捉えられてもよい。
【００５８】
この点、本実施形態では、送信装置が、サブキャリア間隔を可変に設定可能であることを特徴のひとつとする。さらに、本実施形態では、サブキャリア間隔を、コンポーネントキャリア内のリソースブロックごとに異なる値、あるいはリソースブロック内でさらに異なる値を設定可能であることを特徴とする。このようにすることで、伝搬路状態に対して適切なサブキャリア間隔を設定することが可能となる。また、送信装置は、複数の受信装置との間で通信する場合に、受信装置ごとの性能及び要求に応じて適切なサブキャリア間隔を設定することが可能となる。そのため、システム１は、幅広いタイプの受信装置を収容することが可能となる。
【００５９】
また、時間方向のリソースについては、まず基準となる単位として、サブフレームという単位がある。ここでのサブフレームは、ＬＴＥ又はＬＴＥ−Ａにおいて定義されているサブフレームであってもよく、より一般的に単位時間を意味していてもよい。このサブフレーム長は、基本的には固定的に設定されることが望ましい。サブフレームの中は、さらにＧＦＤＭシンボルという単位に区切られる。このＧＦＤＭシンボルごとにＣＰが付加されることとなる。ＧＦＤＭシンボル長も、基本的には固定的に設定されることが望ましい。そして、ＧＦＤＭシンボルは、さらにサブシンボルと呼ばれる単位に区切られる。このサブシンボルの時間長（以下では、サブシンボル長（Subsymbol  period）とも称する）は、一般的なＧＦＤＭでは固定的に設定されていた。
【００６０】
この点、本実施形態では、送信装置が、サブシンボル長を可変に設定可能であることを特徴のひとつとする。また、サブキャリアの場合と同様に、本実施形態では、サブシンボル長を、リソースブロックごとに異なる値、あるいはリソースブロック内でさらに異なる値を設定可能であることを特徴とする。
【００６１】
【表１】
2018196005.tif 000003
【００６２】
ここで、送信装置は、ＯＦＤＭ又はＳＣ−ＦＤＥとの互換性が確保されるよう、パラメータを設定することが可能である。例えば、送信装置は、サブキャリア間隔及びサブシンボル長の設定を、ＯＦＤＭにおける設定と同様にする、又はＳＣ−ＦＤＥにおける設定と同様にすることで、後方互換性を確保することができる。これにより、システム１は、ＧＦＤＭに非対応なレガシ端末も収容可能となる。
【００６３】
（２）送信信号処理
サブキャリア間隔及びサブシンボル時間長を可変に設定した場合の送信信号処理について説明する。ここでの送信装置とは、例えば、通信制御部１５１による制御に基づき動作する無線通信部１２０を指す。また、ここでの受信装置とは、例えば、通信制御部２４１による制御に基づき動作する無線通信部２２０を指す。また、ここでは、ＨｅｔＮｅｔ又はＳＣＥなどのマルチセルシステムを想定する。
【００６４】
なお、以下の説明では、サブフレームに相当するインデックスは、断りがないかぎり省略している点に注意されたい。また、送信装置ｉ又は受信装置ｕのインデックスｉ及びｕは、その装置が属するセルのＩＤ、あるいはその装置が管理するセルのＩＤを示すものであってもよい。
【００６５】
あるサブフレームｔにおいて、送信装置ｉから受信装置ｕへ送信するビット列をｂｉ，ｕとする。ビット列ｂｉ，ｕは、一のトランスポートブロックを構成するものであってもよい。また、以下では、送信装置ｉが受信装置ｕへ一のビット列を送信する場合について説明するが、送信装置ｉが受信装置ｕへ複数のビット列を送信してもよく、その際にビット列が複数のトランスポートブロックを構成してもよい。
【００６６】
（２．１）第１の例
図８〜図１１は、本実施形態に係るＧＦＤＭをサポートする第１の送信装置の構成の一例を説明するための説明図である。まず、送信装置は、ユーザごとに、図８に示した処理を行い、続いて図９に示した処理を行う。その後、送信装置は、送信アンテナポート毎に、図１０及び図１１に示した処理を行う。これらの図では、１以上のユーザに対してＧＦＤＭ信号をマルチアンテナ送信することを想定した場合の構成例を示している。即ち、ユーザ数（あるいは受信装置数）ＮＵ≧１であり、送信アンテナポート数（あるいは送信アンテナ数）ＮＡＰ≧１である。なお、図中では、ユーザ数をＵとし、送信アンテナポート数をＰとしている。
【００６７】
第１の例は、図２に示したＯＦＤＭの送信信号処理を拡張して、ＧＦＤＭの送信信号処理を実現するものである。以下、図８〜図１１を参照しながら、送信処理を説明する。
【００６８】
図８に示すように、まず、送信装置は、送信するビット列に、ＣＲＣのための符号化、ＦＥＣ符号化（例えば、畳み込み符号、ターボ符号、又はＬＤＰＣ符号など)、符号化率を調整するためのレートマッチング、ビットスクランブル、及びビットインタリーブなどを実施する。これらの処理は、次式の通り表現される。
【００６９】
【数１】
2018196005.tif 000004
【００７０】
それぞれの処理は、受信装置ｕ、送信装置ｉ、又はサブフレームｔごとに処理構成が変化してもよい。なお、上記数式（１）では、処理を関数に見立てて、前段の処理結果を後段の処理の引数として扱っている。
【００７１】
続いて、図９に示すように、送信装置は、上記ビット処理の後、ビット列を複素シンボルｓにマッピング（即ち、変換）し、さらに空間レイヤｌにマッピングする。これらの処理は、次式の通り表現される。
【００７２】
【数２】
2018196005.tif 000005
【００７３】
ここで、複素シンボルｓへのマッピングには、ＢＰＳＫ、ＱＰＳＫ、８ＰＳＫ、１６ＱＡＭ、６４ＱＡＭ、又は２５６ＱＡＭ等の多様なコンスタレーションが用いられ得る。また、ＮＳＬ，ｉ，ｕは、受信装置ｕに対する空間レイヤ数である。
【００７４】
送信装置は、空間レイヤにマッピング後、次式に示すように、シンボルに対して電力割当て及びプリコーディングを実施する。
【００７５】
【数３】
2018196005.tif 000006
【００７６】
【数４】
2018196005.tif 000007
【００７７】
【数５】
2018196005.tif 000008
【００７８】
【数６】
2018196005.tif 000009
【００７９】
ここで、ＮＡＰ，ｉは、送信装置ｉの送信アンテナポート数（あるいは送信アンテナ数）であり、基本的にＮＳＬ，ｉ，ｕ≦ＮＡＰ，ｉの関係であることが望ましい。ＮＥＬ，ＴＬＬは、後述するエレメント数である。Ｗは、プリコーディング行列であり、その要素は複素数又は実数であることが望ましい。Ｐは、電力割当て行列であり、その要素は実数であることが望ましく、次式に示すように対角行列であることが望ましい。
【００８０】
【数７】
2018196005.tif 000010
【００８１】
送信装置は、電力割当て及びプリコーディングの後に、次式で示すように、送信アンテナポートごとに信号を多重する。信号の多重には、例えば重畳多重、ＳＰＣ（Superposition  Coding）、ＭＵＳＴ（Multiuser  Superposition  Transmission）、又はＮＯＭＡ（Non-Orthogonal  Multiple  Access）等が採用され得る。
【００８２】
【数８】
2018196005.tif 000011
【００８３】
ここで、Ｕｉは、送信装置ｉが信号を多重する受信装置ｕのインデクスの集合である。
【００８４】
以降の処理は、送信アンテナポートｐごと、及びＧＦＤＭシンボルｇごとの信号処理となる。図１１に示すように、まず、送信装置は、Ｓ／Ｐ変換によって、シンボルを周波数方向に展開した後、リソースエレメントマッピングによって、所定のサブキャリア及び所定のサブシンボルのエレメント上にシンボルを配置する。この配置のルールは、送信装置ｉが決めてもよく、また、多重されている受信装置ｕに対して決められるものであってもよい。
【００８５】
リソースエレメントマッピングの結果、リソースブロックｒ（０≦ｒ＜ＮＲＢ）内のサブキャリアに配置されたエレメントについて説明する。
【００８６】
対象とするリソースブロック及びＧＦＤＭシンボルにおける、サブキャリア数をＮＳＣ，ｒ，ｇとし、サブシンボル数をＮＳＳ，ｒ，ｇとする。この場合、対象とするＧＦＤＭシンボル内のエレメント数はＮＥＬ，ｒ，ｇ＝ＮＳＣ，ｒ，ｇ×ＮＳＳ，ｒ，ｇとなる。
【００８７】
サブキャリアｋｒ，ｇ及びサブシンボルｍｒ，ｇに配置されたエレメントをｘｐ，ｋｒ，ｇ，ｍｒ，ｇとする。送信装置は、各々のエレメントを（即ち、サブキャリア及びサブシンボルごとに）、まずサンプリングレートＮＳＲ，ｒ，ｇでオーバーサンプリングし、次いでフィルタ係数ｈｐ，ｋｒ，ｇ，ｍｒ，ｇ（ｎ）によってフィルタリングする。ｎはサンプルのインデクスである。なお、図中のｋは、サブキャリアのインデクスであり、Ｋは、サブキャリアの総数である。
【００８８】
フィルタリング後のサンプルは、次式の通りとなる。なお、オーバーサンプリングの効果は、フィルタ係数の項に含まれている。
【００８９】
【数９】
2018196005.tif 000012
【００９０】
送信装置は、フィルタリング後に、サブキャリアごとの周波数ｆ（ｋ）で変調して多重する。リソースブロックr、ＧＦＤＭシンボルｇが含むサブキャリアインデクスの集合をＫｒ，ｇとすると、多重後のＧＦＤＭシンボルｃ（ｎ）は、次式の通りに表現される。
【００９１】
【数１０】
2018196005.tif 000013
【００９２】
送信装置は、図１１に示すように、参照信号についても、上述した送信信号処理のうちプリコーディング以降の処理と同様の処理を行う。まず、送信信号処理は、参照信号を生成すると、プリコーディング、Ｓ／Ｐ変換、及びリソースエレメントマッピングを行い、その後、エレメントごとにオーバーサンプリング及びフィルタリングを行う。そして、図１０に示すように、送信装置はフィルタリング後の参照信号のエレメントを、ＧＤＦＭシンボルに多重する。
【００９３】
送信装置は、多重後のＧＦＤＭシンボルごとにＣＰ及びＣＳ（Cyclic  Sufix）を付加する。ＣＰ及びＣＳ付加後のＧＦＤＭシンボルは、次式の通りに表現される。
【００９４】
【数１１】
2018196005.tif 000014
【００９５】
ここで、ＮＣＰ，ｇは、ＧＦＤＭシンボルｇに付加されるＣＰのサンプル数である。
【００９６】
（２．２）第２の例
図１２及び図１３は、本実施形態に係るＧＦＤＭをサポートする第２の送信装置の構成の一例を説明するための説明図である。第２の例に係る送信装置は、第１の例と同様に、まず、ユーザごとに、図８に示した処理を行い、続いて図９に示した処理を行う。その後、第２の例に係る送信装置は、送信アンテナポート毎に、図１２及び図１３に示した処理を行う。第１の例との相違点は、第２の例では、信号処理の領域が、時間、周波数、時間という順序を経ている点である。具体的には、第１の例ではユーザごとの処理とされていた部分が、第２の例では時間領域での処理となっている。
【００９７】
第２の例は、図３に示したＳＣ−ＦＤＥの送信信号処理を拡張して、ＧＦＤＭの送信信号処理を実現するものである。本送信信号処理では、特に、オーバーサンプリングよりも前段で、処理対象の時間領域の信号を周波数変換する処理が行われることが特徴である。以下、図１２及び図１３を参照しながら、送信処理を説明する。
【００９８】
図１２に示すように、送信装置は、まず、時間シンボル系列に対して、時間から周波数への変換（例えば、ＤＦＴ又はＦＦＴ等）を実施して、周波数成分に変換する。リソースブロックｒの、サブキャリアｋ及びＧＦＤＭシンボルｇに割当てられる時間シンボル系列をｘｐ，ｒ，ｇとすると、周波数変換後の周波数成分
【数１２】
2018196005.tif 000015
【００９９】
【数１３】
2018196005.tif 000016
【０１００】
【数１４】
2018196005.tif 000017
【０１０１】
【数１５】
2018196005.tif 000018
【０１０２】
ここで、ＦＮは、サイズＮのフーリエ変換行列である。
【０１０３】
送信装置は、周波数成分へ変換後、サブキャリアごとにオーバーサンプリングを実施する。オーバーサンプリング処理は、周波数領域では周波数成分の繰り返しに相当するため、次式のように表現される。
【０１０４】
【数１６】
2018196005.tif 000019
【０１０５】
【数１７】
2018196005.tif 000020
【０１０６】
ここで、行列ＩＮは、サイズＮの単位行列である。つまり、ＩＯＳ，Ｎ，Ｍは、ＩＮをＭ個並べた行列となっている。
【０１０７】
送信装置は、オーバーサンプリング後に、所定の数のサブキャリアごとにフィルタリングを実施する。例えば、送信装置は、周波数成分ごとに、周波数フィルタ係数を乗算することでフィルタリングを実現する。なお、この所定の数は、１であってもよいし、１以上の任意の数であってもよい。１以上の任意の数としては、例えば後述する単位リソースに含まれるサブキャリアの数であってもよい。フィルタリング後の信号は、次式の通りに表現される。
【０１０８】
【数１８】
2018196005.tif 000021
【０１０９】
ここで、行列Γは、フィルタリング係数である。この行列は、一般に対角行列とすることができる。つまり、行列Γは、次式の通りとされてもよい。
【０１１０】
【数１９】
2018196005.tif 000022
【０１１１】
送信装置は、フィルタリング後に、周波数成分を所定のルールにしたがってマッピングして、周波数から時間への変換（例えば、ＩＤＦＴ又はＩＦＦＴ、など）を実施する。各々の処理は、次式の通りに表現される。
【０１１２】
【数２０】
2018196005.tif 000023
【０１１３】
【数２１】
2018196005.tif 000024
【０１１４】
ここで、ＦＨは、Ｆのエルミート行列である。また、Ａは、サイズＮＩＤＦＴ×ＮＳＳ，ｒ，ｋ，ｇ×ＮＳＲ，ｒ，ｋ，ｇの周波数マッピング行列である。サブキャリアごとのフィルタリング後の周波数成分ｋ’が最終的な周波数成分ｋに配置される場合、周波数マッピング行列Ａの（ｋ，ｋ’）成分は１となる。サブキャリアごとのフィルタリング後の周波数成分ｋ’が最終的な周波数成分ｋに配置されない場合、周波数マッピング行列Ａの（ｋ，ｋ’）成分は０となる。周波数マッピング行列Ａは、各行の要素の和が１以下であること、及び各列の要素の和が１以下であることが望ましい。
【０１１５】
送信装置は、図１３に示すように、参照信号についても、上述した送信信号処理のうちプリコーディング以降の処理と同様の処理を行う。まず、送信信号処理は、参照信号を生成すると、プリコーディング、時間から周波数への変換、及びリソースエレメントマッピングを行い、その後、エレメントごとにオーバーサンプリング、フィルタリング及び周波数マッピングを行う。そして、図１２に示すように、送信装置は周波数マッピング後の参照信号のエレメントを、ＧＤＦＭシンボルに多重する。
【０１１６】
送信装置は、周波数から時間への変換後のＧＦＤＭシンボルごとにＣＰを付加する。ＣＰ付加後のＧＦＤＭシンボルは、次式の通りに表現される。
【０１１７】
【数２２】
2018196005.tif 000025
【０１１８】
ここで、ＮＣＰ，ｇは、ＧＦＤＭシンボルｇに付加されるＣＰのサンプル数である。
【０１１９】
（２．３）第１の例と第２の例との比較
第１の例に係る送信装置と第２の例に係る送信装置とは、理論上は同一の波形を生成するものであると言える。ただし、以下に説明するような、異なる長さのサブシンボル及び／又は異なる間隔のサブキャリアを多重する場合においては、実装の簡易性に差が出てくる。
【０１２０】
具体的には、第１の例の場合には、間隔が異なるサブキャリアが混在する場合、サブキャリアの多重にＩＤＦＴ又はＩＦＦＴなどの高速演算を用いることが困難である。これは、ＩＤＦＴ及びＩＦＦＴでは、分解能が一定でない信号を入力とすることが困難であることに起因する。
【０１２１】
一方で、第２の例の場合には、パラメータを適切に設定することで、周波数から時間への変換にＩＤＦＴ又はＩＦＦＴなどの高速演算を用いることが可能である。即ち、第２の例に係る送信装置の方が、第１の例に係る送信装置と比較して、実装の簡易性の観点から有用である。
【０１２２】
（３）パラメータ設定
以下では、本実施形態に係る送信装置によるパラメータ設定について説明する。
【０１２３】
（３．１）フィルタリングのパラメータ設定
本実施形態に係る送信装置は、ひとつ以上のサブキャリア又はひとつ以上のサブシンボルから成る単位リソースに含まれるサブキャリアの間隔又はサブシンボルの時間長の少なくともいずれかを可変に設定する。ここでの単位リソースとは、周波数リソースの単位（例えば、リソースブロック又はコンポーネントキャリア等）であってもよいし、時間リソースの単位（例えば、ＧＦＤＭシンボル又はサブフレーム等）であってもよいし、周波数リソースと時間リソースとの組み合わせの単位であってもよい。そして、送信装置は、この設定に基づいてフィルタリングを行う。具体的には、送信装置は、設定されたサブキャリアの間隔に基づいてフィルタの帯域幅を可変に設定する。上記説明した第１又は第２の構成では、所定の数のサブキャリアごとにフィルタリングを行うことが可能であるので、可変に設定されたサブキャリアの間隔及び可変に設定されたサブシンボルの時間長を実現するリソース構成を実現することが可能となる。例えば、本実施形態に係る送信装置は、異なる時間長のサブシンボル及び／又は異なる間隔のサブキャリアを、同一のＧＦＤＭシンボル期間内で多重することができる。そのようなＧＦＤＭシンボルの構成の一例を、図１４に示す。
【０１２４】
図１４に示すように、送信装置は、サブシンボル長及びサブキャリア間隔に関し、単位リソースごとに異なる値を設定可能である。ただし、送信装置は、単位リソース内では、サブキャリア間隔及びサブシンボル長を同一に設定する。例えば、図１４に示した例では、一のリソースブロック内ではサブキャリア間隔及びサブシンボル長が同一である。マルチユーザシステムにおいて、リソースブロックが周波数リソースの割当て単位とされる場合、このような設定により、一のユーザに対してはサブシンボル長及びサブキャリア間隔を所定値とすることが可能となる。これにより、送信処理及び受信処理をシンプルにすることが可能となる。また、送信装置は、サブシンボル長及びサブキャリア間隔に関し、ＧＦＤＭシンボル単位で又はサブフレーム単位で異なる値を設定可能である。
【０１２５】
また、異なる単位リソース間で、サブキャリア数とサブシンボル数との積の値が同一であることが望ましい。例えば、図１４に示した例では、同一のＧＦＤＭシンボル期間内で多重される複数のリソースブロックのサブキャリア数とサブシンボル数との積は全て８である。このようにすることで、可変パラメータを導入した場合の送信装置の構成及び受信装置の構成（即ち、送信処理及び受信処理）が簡素化され得る。
【０１２６】
送信装置は、サブキャリアの間隔を可変に設定可能である。例えば、送信装置は、サブキャリアの間隔を、システム１で定められる設定可能な最小値の整数倍に設定し得る。また、送信装置は、サブキャリア間隔を、単位リソースの帯域幅を割り切れる値に設定し得る。これらの設定により、送信装置は、利用可能な全周波数リソースを無駄なく使い切ることが可能になる。なお、サブキャリア間隔の最小値は、ＧＦＤＭシンボル内のサブシンボル数が１である場合のサブキャリア間隔に等しいことが望ましい。
【０１２７】
送信装置は、サブシンボル長を可変に設定可能である。例えば、送信装置は、サブシンボル長を、システム１で定められる設定可能な最小値の整数倍に設定し得る。また、送信装置は、サブシンボル長を、単位リソースの時間長を割り切れる値に設定し得る。これらの設定により、送信装置は、利用可能な全時間リソースを無駄なく使い切ることが可能になる。なお、サブシンボル長の最小値は、リソースブロック内のサブキャリア数が１である場合のサブシンボル長に等しいことが望ましい。
【０１２８】
下記の表に、本実施形態に係るシステム１において取り得る、リソースに関するパラメータの範囲の一例を示した。
【０１２９】
【表２】
2018196005.tif 000026
【０１３０】
なお、図１４では、ＣＰを付加する前段階の様子が図示されている。送信装置は、付加対象のひとつ以上の単位リソースに同一の時間長のＣＰを付加する。
【０１３１】
（３．２）オーバーサンプリングのパラメータ設定
オーバーサンプリングのパラメータは、送信処理に応じて設定されてもよい。
【０１３２】
例えば、図８〜図１１に示した第１の送信装置に関しては、サンプリングレートＮＳＲ，ｒ，ｇは、サブキャリア総数以上であることが望ましい。さらに、サブシンボル長及びサブキャリア間隔が可変の場合、サブキャリア総数には、実際のサブキャリア数が設定されてもよい（即ち、ガードインターバルが考慮しなくてもよい）。これに代えて、サブキャリア総数には、すべてのサブキャリア間隔をシステム１で取り得る最小値とした場合のサブキャリア数（即ち、システム１が取り得る最大のサブキャリア総数）が設定されてもよい。また、サブキャリアの多重がＩＤＦＴ又はＩＦＦＴにより実行される場合、オーバーサンプリングパラメータＮＳＲ，ｒ，ｇには、そのＩＤＦＴサイズ又はＩＦＦＴサイズが設定されてもよい。
【０１３３】
例えば、図１２及び図１３に示した第２の送信装置に関しては、オーバーサンプリングのパラメータは、第１の送信装置の場合と比較して、小さい値を設定可能である。例えば、ＲＣフィルタ（Raised-Cosine  Filter）あるいはＲＲＣフィルタ（Root-Raised-Cosine  Filter）に対応する送信フィルタ係数が採用される場合、オーバーサンプリング数は高々２であれば足りると言える。もちろん、その場合であってもオーバーサンプリング数は２以上であってもよい。
【０１３４】
＜３．２．通信パラメータセットの混在＞
基地局１００は、単位リソースにおいて、ひとつ以上の通信パラメータを含む通信パラメータセットを複数用いた通信が可能である。換言すると、基地局１００は、単位リソースにおいて複数の通信パラメータセットを混在させて端末装置２００と通信することが可能である。
【０１３５】
単位リソースは、所定の周波数リソース及び所定の時間リソースから成るリソースである。単位リソースは、例えばひとつ又は複数のコンポーネントキャリア、リソースブロック又はサブキャリアと、ひとつ又は複数のフレーム、サブフレーム、スロット又はシンボルから成る。
【０１３６】
システム１において実際の通信に用いられる通信パラメータセットを、以下では第１の通信パラメータセットとも称する。第１の通信パラメータセットは、例えば、参照信号及び共有チャネル（Physical  Shared  Channel）の送信に用いられる。第２の通信パラメータセットについては後述する。第１の通信パラメータセットと第２の通信パラメータセットとを特に区別する必要がない場合、これらを通信パラメータセットと総称する。
【０１３７】
・第１の通信パラメータセットの一例
第１の通信パラメータセットに含まれる通信パラメータは、多様に考えられる。一例として、下記の表３に、第１の通信パラメータセットに含まれる通信パラメータの一例を示した。基地局１００及び端末装置２００は、表３の示した複数の項目の各々に挙げた複数の候補を用いて通信することができる。なお、表３に示した項目及び候補はあくまで一例であって、これらに限定されないことに注意されたい。
【０１３８】
【表３】
2018196005.tif 000027
【０１３９】
第１の通信パラメータセットは、上記表３に示したように、波形及び物理層パラメータを含む。なお、物理層パラメータは、上記表３に示した項目のうち周波数範囲、サブキャリア間隔、ＣＰ長、スロット長及びターゲットＢＬＥＲを指す。さらに、第１の通信パラメータセットは、トランスポートブロックサイズ（Transport  Block  Size）、コードワードサイズ（Codeword  Size）、及びコードブロックサイズ（Code  Block  Size）を含んでもよい。第１の通信パラメータセットは、上述したこれらの通信パラメータの少なくとも１つ以上を含んでいればよく、他の任意の通信パラメータをさらに含んでいてもよい。
【０１４０】
波形は、例えば、上述したＯＦＤＭＡ、ＤＦＴ−Ｓ−ＯＦＤＭＡ（ＳＣ−ＦＤＭＡ）、及びＧＦＤＭＡなどが候補として考えられる。波形の種類によって、得られる周波数ダイバーシティの効果が変わり得る。即ち、波形の種類によって、ＢＬＥＲ及びＣＱＩの換算に影響があると考えられる。なお、ＯＦＤＭＡ、ＤＦＴ−Ｓ−ＯＦＤＭＡ（ＳＣ−ＦＤＭＡ）、及びＧＦＤＭＡは、一般的には変調方式又はマルチアクセス方式に分類される技術である。本明細書では、これらの技術により生成される波形に着目して、これらの技術を波形として捉える。
【０１４１】
サブキャリア間隔は、値が大きくなるほどシンボル長が短縮される。即ち、シンボル数が同一の場合、サブキャリア間隔が大きくなるほどＴＴＩが短縮される。ＴＴＩを短縮する（あるいはシンボル数を小さくする）ことで、送受信装置間のやり取り（例えば、データ送信と当該データのＡＣＫ／ＮＡＣＫ等）の時間を短縮することが可能であり、低遅延通信のユースケースの実現への寄与が可能となる。
【０１４２】
システム１では、ノーマルＣＰ（Normal  CP）と、ノーマルＣＰよりも長いＣＰ長を有する拡張ＣＰ（Extended  CP）とがサポートされる。ＣＰ長は、サブキャリア間隔又はシンボル長に応じた長さであり、典型的には、サブキャリア間隔に反比例し、シンボル長に比例する。ＣＰ長は、サブキャリア間隔又はシンボル長に応じた所定値であってもよい。ＣＰ長は、電波伝搬路のマルチパス遅延波に対する耐性に影響し、ＣＰ長が長いほど遅延時間の大きな遅延波まで耐性を高めることができる。この点について、図１５を参照して説明する。
【０１４３】
図１５は、ＣＰ長と電波伝搬路の時間領域チャネルインパルス応答との関係性の一例を示す図である。本図では、４つのＣＰ長が例示されており、両端矢印の長さがそれぞれのＣＰ長に相当する。第１のＣＰ長は、サブキャリア間隔が１５ｋＨｚの場合のノーマルＣＰ長である。第２のＣＰ長は、サブキャリア間隔が１５ｋＨｚの場合の拡張ＣＰ長である。第３のＣＰ長は、サブキャリア間隔が６０ｋＨｚの場合のノーマルＣＰ長である。第４のＣＰ長は、サブキャリア間隔が６０ｋＨｚの場合の拡張ＣＰ長である。両端矢印の内部に収まっている遅延波は、所望信号成分（ＳＩＮＲのＳ（信号成分））として扱うことができる。一方、両端矢印の外部にある遅延波は、干渉信号成分（ＳＩＮＲのＩ（干渉成分））となる。本図に示すように、ＣＰ長によって、ＳＩＮＲが変わり、その結果ＢＬＥＲ及びＣＱＩの換算に影響を与えることとなる。
【０１４４】
スロット長は、１回に割り当てる時間リソースの単位であり、シンボル数で定義される。ここでのシンボルは、例えば、ＯＦＤＭＡシンボル、ＤＦＴ−Ｓ−ＯＦＤＭＡシンボル、又はＧＦＤＭＡシンボルなどである。シンボル数は、ＴＴＩに関連するため、低遅延通信のユースケースの実現に寄与する。また、シンボル数が異なると、ＴＴＩ中に送受信可能なデータサイズ(例えば、Transport  Block  Size、Codeword  Size、又はPayload  Sizeなどのビット数)が異なってくるので、結果としてＢＬＥＲ及びＣＱＩの換算に影響がある。
【０１４５】
ターゲットＢＬＥＲは、ＣＱＩの換算に影響を与えるパラメータである。ユースケースによっては、従来よりも低いターゲットＢＬＥＲが設定されることが望ましい場合ある。そのため、ターゲットＢＬＥＲも複数候補があることが望ましい。例えば、Ｖ２Ｘ（Vehicle-to-Everything）通信など、安全性が求められるユースケースでは、低いターゲットＢＬＥＲが設定されることが望ましい。
【０１４６】
・第１の通信のパラメータの混在
基地局１００は、単位リソースにおいて複数の第１の通信パラメータセットを用いて通信する。その際、基地局１００は、例えば単位リソースを周波数範囲又は時間範囲の少なくともいずれかで区切り、各々で異なる第１の通信パラメータセットを用いて通信する。
【０１４７】
一例として、第１の通信パラメータセットは、周波数チャネル（例えば、コンポーネントキャリア）内の所定の周波数範囲ごとに異なっていてもよい。ただし、その場合、各々の周波数範囲において、共有チャネルと参照信号とで、同じ第１の通信パラメータセットが用いられるものとする。この場合、基地局１００は、周波数範囲と当該周波数範囲において用いられる第１の通信パラメータセットとを、第２の通信パラメータセットとは別に端末装置２００に通知して設定することが望ましい。この設定のための設定情報は、セル固有（即ち、基地局１００固有）又はユーザ固有（端末装置２００固有）の値として、下りリンクの物理報知チャネル（Physical  Broadcast  Channel,  PBCH）又は物理共有チャネル（Physical  Downlink  Shared  Channel,  PDSCH）を介して静的、準静的又は動的に通知されることが望ましい。
【０１４８】
図１６は、周波数チャネルにおける周波数範囲ごとの第１の通信パラメータセットの一例を示す図である。図１６に示した例では、３つの周波数範囲において、各々異なる第１の通信パラメータセットが用いられる。例えば、最も周波数が低い４リソースブロックでは、波形Ａ、サブキャリア間隔ＳＣＳＡ及びＣＰ長ＣＰＡが用いられる。次に周波数が低い４リソースブロックでは、波形Ｂ、サブキャリア間隔ＳＣＳＢ及びＣＰ長ＣＰＢが用いられる。最も周波数が高い４リソースブロックでは、波形Ｃ、サブキャリア間隔ＳＣＳＣ及びＣＰ長ＣＰＣが用いられる。各々の周波数範囲内では、共有チャネルと参照信号とで同じ第１の通信パラメータセットが用いられる。端末装置２００は、基地局１００からの事前の設定により、どの周波数範囲でどの第１の通信パラメータセットが用いられるかを知ることができる。なお、本図では４リソースブロックごとに同一の第１の通信パラメータセットが用いられる周波数範囲が区切られているが、必ずしも同一のリソースブロック数ごとに区切られる必要はないことに注意されたい。
【０１４９】
他の一例として、第１の通信パラメータセットは、周波数チャネル（例えば、コンポーネントキャリア）内では同一であってもよい。周波数チャネルに対応するデフォルトの通信パラメータセットが第１の通信パラメータセットとして用いられる場合、第１の通信パラメータセットの通知及び設定は省略されてもよい。例えば、波形がＯＦＤＭＡ、サブキャリア間隔が１５ｋＨｚ又は同一の周波数チャネルにおけるＰＢＣＨ若しくは同期信号と同じ値、ＣＰ長がノーマルＣＰである場合、第１の通信パラメータセットの通知及び設定が省略されてもよい。第１の通信パラメータセットは、異なる周波数チャネル間で異なっていてもよい。
【０１５０】
＜３．３．測定報告処理＞
（１）全体的な測定報告処理の流れ
端末装置２００は、基地局１００から送信された信号に基づいて、基地局１００との間の通信品質を測定する。この測定に用いられる信号は、典型的には参照信号である。参照信号以外の、例えばデータ信号等の任意の信号が、測定のために用いられてもよい。以下では、測定のための信号として参照信号が用いられるものとして説明する。
【０１５１】
基地局１００は、参照信号を端末装置２００に送信する。参照信号は、例えばＣＳＩ−ＲＳ（Channel  State  Information  Reference  Signal）であってもよい。一方で、端末装置２００は、基地局１００から受信した参照信号を測定する。そして、端末装置２００は、測定結果を示す情報（以下、測定報告とも称する）を基地局１００に（即ち、送信）報告する。
【０１５２】
これらの一連の処理を、測定報告処理とも称する。測定報告処理は、参照信号を測定する測定処理と、測定処理による測定結果を報告する報告処理とに分類され得る。
【０１５３】
以下、図１７及び図１８を参照して、測定報告処理の全体的な流れの一例を説明する。
【０１５４】
図１７は、本実施形態に係るシステム１において実行される測定報告処理の流れの一例を示すシーケンス図である。本シーケンスには、基地局１００及び端末装置２００が関与する。本シーケンスに先立って、基地局１００は、第１の通信パラメータセットを端末装置２００に通知（即ち、送信）し設定しておくものとする。
【０１５５】
図１７に示すように、まず、端末装置２００は、ＣＳＩリクエストを基地局１００に送信する（ステップＳ１００）。ＣＳＩリクエストとは、測定報告処理の実施要求である。ＣＳＩリクエストは、例えば、測定報告処理を実施したい旨、測定する項目、参照信号の送信のリクエスト、報告用のリソース割り当てのリクエスト等を含み得る。ＣＳＩリクエストは、例えばＰＵＣＣＨ（Physical  Uplink  Control  Channel）又はＰＵＳＣＨ（Physical  Uplink  Shared  Channel）を介して送信され得る。
【０１５６】
次いで、基地局１００は、測定に関する設定を端末装置２００に行う（ステップＳ１０２）。例えば、基地局１００は、後述する第２の通信パラメータセットを端末装置２００に通知して設定する。他にも、端末装置２００は、後述する測定処理の実施タイミング及び報告処理の実施タイミングを端末装置２００に通知して設定する。この設定は、ＰＢＣＨ（Physical  Broadcast  Channel）又はＰＤＳＣＨ（Physical  Downlink  Shared  Channel）を介して行われ得る。
【０１５７】
次に、基地局１００は、端末装置２００に参照信号を送信する（ステップＳ１０４）。参照信号は、例えばＣＳＩ−ＲＳである。基地局１００は、ＣＳＩ−ＲＳを、第１の通信パラメータセットを用いて端末装置２００に送信する。
【０１５８】
そして、端末装置２００は、基地局１００から受信した参照信号に基づいて測定を行う（ステップＳ１０６）。このとき、端末装置２００は、ＣＳＩ−ＲＳの送信に第２の通信パラメータセットが用いられたものと想定して、測定を行う。
【０１５９】
次いで、端末装置２００は、測定結果を示す情報（測定報告）を基地局１００に報告する（ステップＳ１０８）。測定報告は、例えばＰＵＣＣＨ又はＰＵＳＣＨを介して送信され得る。次に、基地局１００は、測定報告に基づいてスケジューリングを行う（ステップＳ１１０）。
【０１６０】
図１８は、本実施形態に係るシステム１において実行される測定報告処理の流れの他の一例を示すシーケンス図である。本シーケンスには、基地局１００及び端末装置２００が関与する。本シーケンスにおけるステップＳ２０２〜Ｓ２１０における処理は、図１７に示したシーケンスにおけるステップＳ１０２〜Ｓ１１０における処理と同様である。図１７に示したシーケンスは、端末装置２００が測定報告処理のトリガを掛ける場合を示している。一方で、図１８に示したシーケンスは、基地局１００が測定報告処理のトリガを掛ける場合を示している。
【０１６１】
（２）実施タイミング
・測定の実施タイミング
測定の実施タイミングは、基地局１００により設定されてもよい。例えば、基地局１００は、セル固有の測定タイミング又は測定周期を、システム情報（例えば、ＳＩＢ（System  Information  Block）又はＭＩＢ（Master  Information  Block））を用いて静的又は準静的に予め設定する。あるいは、基地局１００は、ユーザ固有（即ち、端末装置２００固有）の測定タイミング又は測定周期を、ＲＲＣコンフィギュレーション又はＲＲＣリコンフィギュレーションを用いて静的、準静的又は動的に設定してもよい。これらの場合、システム情報、ＲＲＣコンフィギュレーション又はＲＲＣリコンフィギュレーションは、下りリンクの物理報知チャネル（Physical  Broadcast  Channel,  PBCH）又は物理共有チャネル（Physical  Downlink  Shared  Channel,  PDSCH）を介して、基地局１００から端末装置２００へ通知される。
【０１６２】
測定の実施タイミングは、端末装置２００により設定されてもよい。
【０１６３】
・報告の実施タイミング
端末装置２００による報告（即ち、フィードバック）の実施タイミングは、基地局１００により設定されてもよい。例えば、基地局１００は、セル固有の報告タイミング又は報告周期を、システム情報（例えば、ＳＩＢ又はＭＩＢ）を用いて静的又は準静的に予め設定する。あるいは、基地局１００は、ユーザ固有（即ち、端末装置２００固有）の報告タイミング又は報告周期を、ＲＲＣコンフィギュレーション又はＲＲＣリコンフィギュレーションを用いて静的、準静的又は動的に設定してもよい。これらの場合、システム情報、ＲＲＣコンフィギュレーション又はＲＲＣリコンフィギュレーションは、下りリンクの物理報知チャネル又は物理共有チャネルを介して、基地局１００から端末装置２００へ通知される。
【０１６４】
報告の実施タイミングは、端末装置２００により設定されてもよい。
【０１６５】
・測定報告処理の実施トリガ
測定報告処理の実施トリガは、基地局１００により掛けられてもよいし、端末装置２００により掛けられてもよい。端末装置２００がトリガを掛ける場合、端末装置２００は、測定報告処理のトリガ情報を基地局１００に通知する。トリガ情報は、測定報告処理の実施要求（例えば、図１７に示したＣＳＩリクエスト）、基地局１００からの信号の受信応答（ＡＣＫ／ＮＡＣＫ）、又は測定報告の少なくともいずれかである。
【０１６６】
基地局１００は、端末装置２００からのトリガ情報の通知に基づいて、測定に関する設定を端末装置２００に行う。例えば、基地局１００は、ＣＳＩリクエストに基づいて、ＡＣＫ／ＮＡＣＫの安定性に基づいて、又は測定報告の内容に基づいて、測定に関する設定を行う。測定に関する設定は、後述する第２の通信パラメータセットの設定、並びに後述する測定処理の実施タイミング及び報告処理の実施タイミングの設定を含む。
【０１６７】
（３）第２の通信パラメータセット
基地局１００は、測定報告処理の対象とする通信パラメータセットを端末装置２００に設定する。測定報告処理の対象とする通信パラメータセットとは、参照信号の送信に用いられたものと想定して測定報告処理を行うべき通信パラメータセットである。測定報告処理の対象とする通信パラメータセットは、測定対象の通信パラメータセットとして捉えられてもよい。また、測定報告処理の対象とする通信パラメータセットは、報告（即ち、フィードバック）対象の通信パラメータセットとして捉えられてもよい。
【０１６８】
ここで、基地局１００は、測定報告処理の対象とする通信パラメータセットとして、測定対象の通信パラメータセットと報告対象の通信パラメータセットとを、別々に設定してもよい。即ち、測定対象の通信パラメータセットと報告対象の通信パラメータセットとは異なっていてもよい。例えば、複数の測定対象の通信パラメータセットのうち、一部の通信パラメータセットが報告対象の通信パラメータセットであってもよい。また、複数の測定対象の通信パラメータセットのうち、受信電力が閾値以上である等の所定の条件を満たす通信パラメータセットについての測定報告のみを報告の対象とするよう設定されてもよい。
【０１６９】
測定報告処理の対象とする通信パラメータセットを、第２の通信パラメータセットとも称する。
【０１７０】
第２の通信パラメータセットは、第１の通信パラメータセットと同様に、波形及び物理層パラメータを含む。即ち、第２の通信パラメータセットは、例えば波形、周波数範囲、サブキャリア間隔、ＣＰ長、スロット長、及びターゲットＢＬＥＲを含む。さらに、第２の通信パラメータセットは、トランスポートブロックサイズ（Transport  Block  Size）、コードワードサイズ（Codeword  Size）、及びコードブロックサイズ（Code  Block  Size）を含んでもよい。なお、周波数範囲は、測定報告処理の対象とする周波数範囲及びＤＦＴ拡散の周波数範囲を含み得る。とりわけ、波形に関しては、他の通信パラメータとは独立して個別に設定されることが望ましい。第２の通信パラメータセットは、上述したこれらの通信パラメータの少なくとも１つ以上を含んでいればよく、他の任意の通信パラメータをさらに含んでいてもよい。
【０１７１】
第１の通信パラメータセットと第２の通信パラメータセットとは、同一であってもよい。一方で、第１の通信パラメータセットと第２の通信パラメータセットとは、その一部又は全部が異なっていてもよい。例えば、実際の参照信号の送信に用いられた波形と異なる波形が想定された測定報告処理が行われてもよい。この場合、基地局１００は、実際には送信に用いていない通信パラメータセットに関する測定結果の報告を受けることが可能である。
【０１７２】
基地局１００は、複数の第２の通信パラメータセットを端末装置２００に設定してもよい。この場合、端末装置２００において複数の第２の通信パラメータセットの各々に基づいて測定報告処理が行われる。これにより、基地局１００は、使用し得る複数の通信パラメータセットについて、それらを用いた場合の通信品質を、１度の参照信号の送信により、端末装置２００に測定させることが可能となる。従って、システム１における測定報告処理のオーバーヘッドを抑制することが可能である。
【０１７３】
第２の通信パラメータセットは、例えば下りリンクの物理報知チャネル（Physical  Broadcast  Channel,  PBCH）又は物理共有チャネル（Physical  Downlink  Shared  Channel,  PDSCH）を介して、基地局１００から端末装置２００へ通知される。
【０１７４】
・第１の通信パラメータセットと第２の通信パラメータセットとの関係
以下、第１の通信パラメータセットと第２の通信パラメータセットとの関係について説明する。
【０１７５】
基地局１００は、所定の周波数リソース及び所定の時間リソースにおいて、第１の通信パラメータセットを用いて参照信号を端末装置２００に送信する。端末装置２００は、この参照信号について、第２の通信パラメータセットを想定して測定報告処理を行う。第１の通信パラメータセットと第２の通信パラメータセットとは同一であることが望ましい。ただし、両者が異なることも許容される。第１の通信パラメータセットと第２の通信パラメータセットとの関係を、下記の表４に示す。下記の表４では、参照信号の送信に実際に用いられる第１の通信パラメータセットと、第２の通信パラメータセットとの関係が示されている。
【０１７６】
【表４】
2018196005.tif 000028
【０１７７】
（４）第２の通信パラメータセットに基づく測定報告処理
端末装置２００は、第２の通信パラメータセットに基づいて測定報告処理を行う。詳しくは、端末装置２００は、基地局１００により設定された第２の通信パラメータセットに基づいて、基地局１００から受信した参照信号を測定し、測定結果を示す情報を基地局１００に報告する。
【０１７８】
複数の第２の通信パラメータセットが設定される場合がある。その場合、端末装置２００は、受信したひとつの参照信号について、設定された複数の第２の通信パラメータセットの各々に基づいて測定する。詳しくは、端末装置２００は、ひとつの参照信号について、当該参照信号の送信に用いられたと想定する通信パラメータセットごとに測定を行い、複数の測定結果を得る。ここで、参照信号の送信に用いられる第１の通信パラメータセットと想定する少なくともひとつの第２の通信パラメータセットとは異なっていてもよい。
この場合、端末装置２００は、参照信号の送信に用いられる第１の通信パラメータセットと異なる第２の通信パラメータセットに基づく測定結果をも、１度の参照信号の受信で得ることが可能となる。従って、システム１における測定報告処理のオーバーヘッドを抑制することが可能である。
【０１７９】
複数の第２の通信パラメータセットが設定される場合、設定されたすべての第２の通信パラメータセットに基づく測定報告処理が行われることが望ましい。設定された複数の第２の通信パラメータセットのうち、一部の第２の通信パラメータセットに基づく測定報告処理のみが行われてもよい。
【０１８０】
第２の通信パラメータセットが基地局１００により設定されない場合も考えられる。その場合、端末装置２００は、自身で第２の通信パラメータセットを設定する。このとき、端末装置２００は、第２の通信パラメータセットをひとつ設定してもよいし、複数設定してもよい。
【０１８１】
以下、端末装置２００による第２の通信パラメータセットに基づく測定処理について詳しく説明する。
【０１８２】
（４．１）測定処理
・想定する波形の設定
端末装置２００は、第２の通信パラメータセットが示す波形を想定して測定を行う。複数の波形が想定される場合、端末装置２００は、想定する波形ごとに測定を行う。若しくは、端末装置２００は、１度の測定では１つの波形のみを想定してもよい。
【０１８３】
まず、端末装置２００は、送受信装置間の電波伝搬路のチャネル応答を推定する。ここでの送受信装置間とは、基地局１００と端末装置２００との間であってもよいし、端末装置２００と別の端末装置２００との間であってもよい。端末装置２００は、周波数領域および時間領域の両方のチャネル応答を推定することが望ましい。また、それぞれの領域のチャネル応答は、さらにＭＩＭＯ（Multi-Input  Multi-Output）の空間領域およびマルチアンテナの特徴も含んで推定されていることが望ましい。端末装置２００は、チャネル応答を推定した後、特に時間領域のチャネル応答の推定値から、チャネル応答の長さを推定する。ここで、推定対象のチャネル応答の長さとは、例えば図１５に示したような、時間領域のチャネル応答のうち所定の条件を満たす遅延波の遅延時間の差の最大値に相当する。
【０１８４】
・ＲＩの測定
端末装置２００は、想定する波形の特徴に応じて測定を行う。例えば、想定する波形の特徴に応じたＲＩの測定を行う。
【０１８５】
端末装置２００は、波形がシングルキャリア波形の特徴を有するか否かに基づいて測定を行ってもよい。下記表５に、シングルキャリア波形の特徴を持つ波形と持たない波形の一例を示す。
【０１８６】
【表５】
2018196005.tif 000029
【０１８７】
シングルキャリアの特徴を有するか否かの基準の一例として、送信側でＤＦＴ拡散又はＦＦＴ拡散が実施されるか否かが挙げられる。例えば、図３、図１２及び図１３に示した送信装置では、時間から周波数への変換（Time-to-Frequency  Conversion）処理において、ＤＦＴ拡散又はＦＦＴ拡散が行われる。そのため、ＳＣ−ＦＤＭＡ、ＤＦＴ−Ｓ−ＯＦＤＭＡ、ＧＦＤＭＡ（ＤＦＴ拡散を使うＧＦＤＭＡ）は、シングルキャリア波形の特徴を持つ波形であると捉えることができる。一方で、ＤＦＴ拡散又はＦＦＴ拡散が行われない波形については、シングルキャリア波形の特徴を持たない波形であると捉えることができる。
【０１８８】
シングルキャリア波形の特徴を持たない波形を想定する場合、端末装置２００は、チャネル応答の空間的特徴及びＭＩＭＯの特徴から、ＲＩ（Rank  Indicator）の値を測定する。ＲＩの測定は、ＭＩＭＯチャネルを行列で表現した場合、その行列のランク数であることが望ましい。
【０１８９】
一方で、シングルキャリア波形の特徴を持つ波形を想定する場合、端末装置２００は、ＲＩの測定値を所定の値に固定することが望ましい。例えば、端末装置２００は、チャネル応答のＭＩＭＯのランク数を１に固定する。この場合、ＲＩ＝０となる。また、別の例として、端末装置２００は、シングルキャリアの特徴をもつ波形を想定した場合とそうでない波形を想定した場合とで、ＲＩで想定する最大値を異なる値に設定してもよい。例えば、シングルキャリアの特徴をもつ場合の最大値を、シングルキャリアの特徴をもたない場合の最大値以下とすることが望ましい。
【０１９０】
端末装置２００は、波形が直交波形又は非直交波形のいずれの特徴を有するかに基づいて測定を行ってもよい。下記表６に、直交波形の特徴を持つ波形と非直交波形の特徴を持つ波形の一例を示す。
【０１９１】
【表６】
2018196005.tif 000030
【０１９２】
表６に示すように、直交波形の特徴をもつ波形としては、例えば、ＳＣ−ＦＤＭＡ、ＤＦＴ−Ｓ−ＯＦＤＭＡ、ＯＦＤＭＡがある。これらは、図２及び図３を参照して上記説明したように、送信信号処理において、オーバーサンプリング及びフィルタリングといった処理を行わないことを特徴とする波形であるとも言える。
【０１９３】
他方、表６に示すように、非直交波形の特徴をもつ波形としては、例えば、Filtered  OFDMA、UF（Universal  Filtered）−OFDMA、FBMC（Filterbank  Multicarrier）、GFDMA（Generalized  Frequency  Division  Multiple  Access）、ＦＴＮ（Faster−Than−Nyquist）などができる。これらは、図１、図８〜図１２を参照して上記説明したように、送信信号処理において、オーバーサンプリング及びフィルタリングといった処理を行うことを特徴とする波形であるとも言える。
【０１９４】
・ＰＭＩの測定
端末装置２００は、ＰＭＩを測定する。ＰＭＩの候補となるプリコーディング行列の母集団は、測定したＲＩの値に基づいて決められることが望ましい。
【０１９５】
・ＣＱＩの測定
端末装置２００は、ＣＱＩを測定する。とりわけ、端末装置２００は、想定するＣＰ長及びターゲットＢＬＥＲに基づいてＣＱＩを測定する。
【０１９６】
端末装置２００は、ＣＱＩを測定するために、まず、実効的なＳＩＮＲ（Effective  SINR）を推定する。ここで、干渉雑音成分（ＳＩＮＲのＩとＮ）には、端末装置２００の熱雑音、マルチセル環境における他セルからの同一チャネル干渉及び隣接チャネル干渉、電波伝搬路のマルチパス遅延とＣＰ長とに起因するシンボル間干渉、波形に起因する干渉、並びにその他の干渉が含まれる。端末装置２００は、これらのうちシンボル間干渉については、想定するＣＰ長に基づいてＳＩＮＲの推定を行う。
【０１９７】
なお、想定するＣＰ長として、基地局１００による設定以外にも、端末装置２００により測定されたＣＰ長が採用されてもよい。また、想定するＣＰ長として、測定されたＣＰ長以外にも複数のＣＰ長が採用されてもよい。あるいは、測定するＣＰ長として、測定されたＣＰ長と独立したＣＰ長の値が採用されてもよい。
【０１９８】
複数のＣＰ長が想定される場合、端末装置２００は、想定するＣＰ長ごとに測定を行う。ＣＰ長によってＳＩＮＲが変わる可能性があるためである。
【０１９９】
複数のターゲットＢＬＥＲが想定される場合、端末装置２００は、想定するターゲットＢＬＥＲごとに測定を行う。具体的には、端末装置２００は、想定するターゲットＢＬＥＲごとにＣＱＩの測定を行う。ターゲットＢＬＥＲによってＣＱＩが変わる可能性があるためである。端末装置２００は、推定した実効的なＳＩＮＲを、波形に対応するＢＬＥＲカーブの値と比較することで、ＣＱＩを測定する。ＢＬＥＲカーブは、候補ＣＱＩごとに用意されていることが望ましい。ＢＬＥＲカーブと実効的なＳＩＮＲの比較から、ターゲットＢＬＥＲを満たすＣＱＩのうち、最も高い周波数利用効率をＣＱＩの結果とすることが望ましい。
【０２００】
・周波数範囲の想定に基づく測定
端末装置２００は、周波数範囲の想定に基づいて測定を行う。
【０２０１】
とりわけ、送信側でＤＦＴ拡散を行う波形（即ち、シングルキャリア波形の特徴をもつ波形）が想定される場合、端末装置２００は、周波数範囲の想定に基づいて測定を行う。想定される周波数範囲は、測定の（即ち、測定対象の）周波数範囲、及びＤＦＴ拡散の周波数範囲である。これらの周波数範囲は、典型的には第２の通信パラメータセットとして基地局１００から設定される。なお、想定するＤＦＴ拡散の周波数範囲の設定は、送信側でＤＦＴ拡散を利用する波形を利用する場合にのみ行われることが望ましい。即ち、送信側でＤＦＴ拡散を利用しない波形を利用する場合には、想定するＤＦＴ拡散の周波数範囲の設定は行われなくてもよい。
【０２０２】
想定する測定の周波数範囲と想定するＤＦＴ拡散の周波数範囲との関係性は、図１９及び図２０に示す２通りが考えられる。図１９は、想定する測定の周波数範囲と想定するＤＦＴ拡散の周波数範囲とが同一である場合を示す図である。図２０は、想定する測定の周波数範囲と想定するＤＦＴ拡散の周波数範囲とが異なる場合を示す図である。測定の周波数範囲は、必ずしも周波数チャネルの帯域幅（例えば、コンポーネントキャリアの帯域幅）である必要はないことに注意されたい。ＤＦＴ拡散の周波数範囲は、測定の周波数範囲以下であることが望ましい。測定の周波数範囲とＤＦＴ拡散の周波数範囲とは、整数倍の関係にあることが望ましい。ＤＦＴ拡散の周波数範囲は、リソースブロックの帯域幅の整数倍であることが望ましい。
【０２０３】
端末装置２００は、想定する周波数範囲がこれら２通りの関係のいずれであるかに基づいて測定を行う。これにより、端末装置２００は、例えば実効的なＳＩＮＲを推定する際に、周波数ダイバーシティの効果をより正確に推定結果に組み込むことが可能となる。
【０２０４】
（４．２）測定処理に関する具体的な処理
図２１は、端末装置２００による測定処理のブロックダイヤグラムの一例を示す図である。図中のブロックへ破線矢印で入力される情報は、想定される第２の通信パラメータセットである。図２１に示すように、端末装置２００は、まず、周波数領域の信号を受信し、その中から参照信号成分（例えば参照信号のリソースエレメント）を抜き出す。次いで、端末装置２００は、抜き出した参照信号を用いてチャネル推定を行う。
【０２０５】
次に、端末装置２００は、想定する波形、周波数範囲又はサブキャリア間隔の少なくともいずれか、及びチャネル推定値（周波数領域であることが望ましい）を用いて、送受信装置間のＭＩＭＯ電波伝搬路の適切なランクと適切なプリコーディング行列とを推定する。ここで、プリコーディング行列については、あらかじめ定められた複数のプリコーディング行列の組み（即ち、Codebook）の中から選択されることが望ましい。ランク及びプリコーディング行列については、報告のために、ＲＩ及びＰＭＩにそれぞれ変換される。
【０２０６】
チャネル推定値は、ＣＱＩを導出するためのＳＩＮＲ推定にも用いられる。端末装置２００は、想定する波形、周波数範囲、サブキャリア間隔又はＣＰ長の少なくともいずれかに基づいて、所望信号成分及び干渉成分を推定する。まず、端末装置２００は、ＣＰ長を推定する。次いで、端末装置２００は、チャネル推定値を時間領域のチャネルインパルス応答に変換した上で、ＣＰ長に収まるチャネルインパルス応答の合計電力と、ＣＰ長から外れるチャネルインパルス応答の合計電力とを、ＳＩＮＲに反映する。この処理については、図１５を参照して上記説明した通りである。なお、ＣＰ長は、報告のために、ＣＰ長に対応する指標であるＣＰＩ（Cyclic  Prefix  Indicator）に変換される。
【０２０７】
端末装置２００は、ＳＩＮＲを推定した後、ＳＩＮＲの推定値を用いてＢＬＥＲの推定を行う。ここで、端末装置２００は、想定する波形の種類の各々に対応するＢＬＥＲ参考値（例えばＣＱＩごとのＳＩＮＲ対ＢＬＥＲのテーブル）を記憶していることが望ましい。さらに、端末装置２００は、スロット長及びデータサイズ（Transport  Block  Sizeなど）ごとのＢＬＥＲ参考値を記憶していることが望ましい。
【０２０８】
端末装置２００は、ＢＬＥＲを推定後、ＳＩＮＲ推定値とＢＬＥＲ推定値とを比較して、ターゲットＢＬＥＲを満たすＣＱＩを１つ以上列挙する。端末装置２００は、列挙したＣＱＩのうち、実際にフィードバックするＣＱＩを選択する。ターゲットＢＬＥＲを満たすＣＱＩのうち、周波数利用効率が最も高いＣＱＩが選択されることが望ましい。端末装置２００は、複数のターゲットＢＬＥＲが想定される場合、想定されるターゲットＢＬＥＲごとにひとつのＣＱＩを選択する。
【０２０９】
また、端末装置２００は、想定した波形を、報告のために、波形に対応する指標であるＷＩ（Waveform  Indicator）に変換する。
【０２１０】
（４．３）報告処理
端末装置２００は、第２の通信パラメータセットに基づいて報告を行う。複数の第２の通信のパラメータが設定された場合には、端末装置２００の複数の第２の通信パラメータセットの各々についての測定結果を示す情報（即ち、測定報告）を報告する。測定結果を示す情報は、例えば、ＣＱＩ、ＲＩ、ＰＭＩ、ＣＰＩ又はＷＩの少なくともいずれかを含む。
【０２１１】
ここで、測定結果を示す情報は、少なくとも測定報告処理の対象とした波形を示す情報（即ち、ＷＩ）を含むことが望ましい。波形は、ＣＱＩ等の他の測定結果への影響が大きいためである。測定報告処理の対象とした波形を示す情報が少なくとも報告されることで、基地局１００は、波形の影響を加味して端末装置２００からの測定報告を解釈することが可能となる。
【０２１２】
端末装置２００による測定報告の報告に用いられるリソースは、基地局１００により設定されてもよい。例えば、基地局１００は、ＣＳＩリクエストに応じて報告用のリソースを端末装置２００に割り当てる。他にも、端末装置２００は、事前に基地局１００により設定されたリソースプールから選択したリソースを用いて報告情報を報告してもよい。
【０２１３】
端末装置２００は、１度の測定報告処理において、複数の測定報告を報告してもよい。例えば、複数の第２の通信パラメータセットが設定された場合、端末装置２００は、受信したひとつの参照信号について、複数の第２の通信パラメータセットの各々に基づいて測定した結果を基地局１００に報告する。上述したように、測定対象の第２の通信パラメータセットと報告対象の第２の通信パラメータセットとは異なっていてもよく、即ち、端末装置２００は、測定した内の一部の結果を基地局１００に報告してもよい。
【０２１４】
（４．４）測定処理及び報告処理の周期及び頻度について
端末装置２００の負荷削減及び電力消費削減の観点から、測定処理の実施頻度は低いことが望ましい。また、システム１全体のオーバーヘッド削減の観点から、報告処理の実施頻度は低いことが望ましい。
【０２１５】
測定及び報告の対象項目である、ＲＩ、ＰＭＩ、ＣＱＩ、ＷＩ及びＣＰＩは、その変動の時間的振る舞いがそれぞれ異なり得る。一般的に、ＰＭＩ及びＣＱＩは、変動の時間的粒度が短いと考えられる。その次に、ＲＩの変動の時間的粒度が短いと考えられる。その次に、ＣＰＩの変動の時間的粒度が短く、ＷＩは、これらの中では最も時間的粒度が長いと考えられる。
【０２１６】
以上のような特徴から、測定及び報告の実施は、対象項目ごとに設定されることが望ましい。具体的には、変動の時間的粒度が短いものほど、測定及び報告の実施周期を短く且つ実施頻度を高く設定されることが望ましい。また、変動の時間的粒度が長いものほど、測定及び報告の実施周期を長く且つ実施頻度を低く設定されることが望ましい。定性的には、測定及び報告の実施周期及び実施頻度は以下の関係にあることが望ましい。
測定及び報告の実施周期
ＣＱＩ≦ＰＭＩ≦ＲＩ≦ＣＰＩ≦ＷＩ
測定及び報告の実施頻度
ＣＱＩ≧ＰＭＩ≧ＲＩ≧ＣＰＩ≧ＷＩ
【０２１７】
端末装置２００は、複数の対象項目の測定結果を、まとめて報告してもよいし、個別に報告してもよい。例えば、端末装置２００は、実施周期が長く実施頻度が低い対象項目の測定結果を報告する場合には、それよりも実施周期が短く実施頻度が高い対象項目の測定結果を一緒に報告してもよい。換言すると、端末装置２００は、実施周期が短く実施頻度が高い対象項目の測定結果を報告する場合には、それよりも実施周期が長く実施頻度が低い対象項目の想定結果を一緒には報告しなくてもよい。また、端末装置２００は、実施周期が短く実施頻度が低い対象項目の測定結果は、測定の実施の度に報告しなくてもよく、それより実施周期が長く実施頻度が高い対象項目の測定結果の報告の際にまとめて報告してもよい。
【０２１８】
ここで、波形は、その他の対象項目の測定結果すべてに影響を与え得る。そのため、ＷＩが報告される場合には、その他の対象項目の測定結果もまとめて報告されることが望ましい。このことは、上述した測定及び報告の実施周期及び実施頻度とは独立して実現されることが望ましい。
【０２１９】
また、ＤＦＴ−Ｓ−ＯＦＤＭＡ、ＳＣ−ＦＤＭＡ、又はＧＦＤＭＡなど、シングルキャリア波形の特徴をもつ波形は、ＭＩＭＯのうち、空間レイヤあるいは空間ストリームに別の情報あるいは別の信号を多重する空間多重(Spatial  Multiplexing)が向かない可能性がある。そのため、ＷＩが報告される場合、且つＷＩがシングルキャリア波形の特徴をもつ波形を示す場合、ＲＩ＝０（空間レイヤ数＝１、または空間ストリーム数＝１)に固定されることが望ましい。ＲＩ＝０が明示的に報告されてもよいし、ＷＩがシングルキャリア波形の特徴をもつ波形を示すことがＲＩ＝０を黙示的に示していてもよく、この場合、ＲＩの報告は省略されてもよい。後者の場合、報告される情報量を削減して、報告のオーバーヘッドを削減することが可能である。
【０２２０】
（４．５）測定報告に基づく制御
基地局１００は、端末装置２００による第２の通信パラメータセットに基づく測定報告に基づいて、第１の通信パラメータセットを制御する。換言すると、基地局１００は、第１の通信パラメータセットの制御のために、第２の通信パラメータセットを設定して、端末装置２００に測定報告処理を実施させる。これにより、基地局１００は、第１の通信パラメータの制御を効率的に実施して、システム１の通信効率を向上させることが可能である。
【０２２１】
基地局１００は、端末装置２００による第２の通信パラメータセットに基づく測定報告に基づいて、第２の通信パラメータセットを制御する。換言すると、基地局１００は、第２の通信パラメータセットの制御のために、第２の通信パラメータセットを設定して、端末装置２００に測定報告処理を実施させる。これにより、基地局１００は、第２の通信パラメータの制御を効率的に実施する可能である。
【０２２２】
基地局１００は、端末装置２００による第２の通信パラメータセットに基づく測定報告に基づいて、スケジューリングを行う。換言すると、基地局１００は、スケジューリングのために、第２の通信パラメータセットを設定して、端末装置２００に測定報告処理を実施させる。これにより、基地局１００は、スケジューリングを効率的に実施する可能である。
【０２２３】
基地局１００は、端末装置２００による第２の通信パラメータセットに基づく測定報告に基づいて、端末装置２００による測定処理及び／又は報告処理の実施タイミングを制御する。これにより、基地局１００は、測定報告処理に係るオーバーヘッドを抑制することが可能である。
【０２２４】
（４．６）補足
端末装置２００は、ＲＩ、ＰＭＩ、ＣＱＩ、ＷＩ及びＣＰＩ以外の情報を測定し、報告してもよい。例えば、基地局１００が複数のビームを用いて通信可能な場合、端末装置２００は、望ましいビームを示す情報を測定して報告してもよい。また、端末装置２００は、参照信号の送信に用いるべきリソースを示す情報（CSI-RS  Resource  Indicator）を測定して報告してもよい。
【０２２５】
上述したように、ある波形に変調された参照信号に基づいて、複数の波形を想定した測定報告処理が行われ得る。その際、参照信号の波形と測定報告処理で想定すべき波形とが対応付けられてもよい。また、参照信号は、当該参照信号の変調に用いられた波形ごとに固定化された異なるリソースにおいて送信されてもよいし、異なる波形間で共通のリソースにおいて送信されてもよい。
【０２２６】
波形について補足する。波形の相違は、送信処理の相違又は受信処理の相違に言い換えることができる。前者は、例えばサブキャリア間隔の相違、ＣＰ長の相違若しくは有無、ＤＦＴ換算処理の有無、フィルタバンク処理の有無、サブバンドフィルタリング処理の有無、サブキャリアフィルタリング処理の有無、及びFaster-Than-Nyquist処理の有無である。後者は、例えば干渉キャンセラ設定の有無である。
【０２２７】
（４．７）処理の流れ
・測定処理
以下、図２２〜図２４を参照して、測定処理の流れの一例を説明する。
【０２２８】
図２２は、本実施形態に係る端末装置２００により実行される測定処理の流れの一例を示す図である。図２２に示すように、まず、端末装置２００は、測定を実施するタイミングであるか否かを判定する（ステップＳ３００）。測定を実施するタイミングであると判定されるまで、端末装置２００は待機する（ステップＳ３００／ＮＯ）。一方で、測定を実施するタイミングであると判定された場合（ステップＳ３００／ＹＥＳ）、端末装置２００は、測定対象の波形が基地局１００により設定されているか否かを判定する（ステップＳ３０２）。測定対象の波形が基地局１００により設定されていると判定された場合（ステップＳ３０２／ＹＥＳ）、端末装置２００は、基地局１００により設定された測定対象の波形ごとに測定を実施する（ステップＳ３０６）。一方で、測定対象の波形が基地局１００により設定されていないと判定された場合（ステップＳ３０２／ＮＯ）、端末装置２００は、測定対象の波形を１つ以上選択して（ステップＳ３０４）、選択した測定対象の波形ごとに測定を実施する（ステップＳ３０６）。
【０２２９】
続いて、上記ステップＳ３０６における測定対象の波形ごとの測定について、図２３及び図２４を参照して説明する。
【０２３０】
図２３は、本実施形態に係る端末装置２００により実行される波形ごとの測定処理の流れの一例を示す図である。図２３に示すように、まず、端末装置２００は、周波数領域チャネル応答を推定する（ステップＳ４００）。次いで、端末装置２００は、時間領域チャネル応答及びチャネル応答の長さを推定する（ステップＳ４０２）。次に、端末装置２００は、ＣＰＩを測定する（ステップＳ４０４）。次いで、端末装置２００は、測定対象の波形がシングルキャリア波形の特徴をもつか否かを判定する（ステップＳ４０６）。測定対象の波形がシングルキャリア波形の特徴をもつと判定された場合（ステップＳ４０６／ＹＥＳ）、端末装置２００は、ＲＩを所定の値（例えば、ＲＩ＝０）とする（ステップＳ４０８）。一方で、測定対象の波形がシングルキャリア波形の特徴をもたないと判定された場合（ステップＳ４０６／ＮＯ）、端末装置２００は、ＲＩを測定する（ステップＳ４１０）。その後、端末装置２００は、ＰＭＩを測定する（ステップＳ４１２）。次いで、端末装置２００は、測定対象のＣＰ長が基地局１００により設定されているか否かを判定する（ステップＳ４１４）。測定対象のＣＰ長が基地局１００により設定されていると判定された場合（ステップＳ４１４／ＹＥＳ）、端末装置２００は、基地局１００により設定された測定対象のＣＰ長ごとにＣＱＩを測定する（ステップＳ４２２）。一方で、測定対象のＣＰ長が基地局１００により設定されていないと判定された場合（ステップＳ４１４／ＮＯ）、端末装置２００は、ＣＰＩの測定値を基に測定対象のＣＰ長を選択するか否かを判定する（ステップＳ４１６）。ＣＰＩの測定値を基に測定対象のＣＰ長を選択すると判定された場合（ステップＳ４１６／ＹＥＳ）、端末装置２００は、測定対象のＣＰ長として、測定したＣＰＩに基づくＣＰ長をひとつ以上選択する（ステップＳ４１８）。そして、端末装置２００は、測定したＣＰＩに基づいて選択したひとつ以上の測定対象のＣＰ長ごとにＣＱＩを測定する（ステップＳ４２２）。一方で、ＣＰＩの測定値を基に測定対象のＣＰ長を選択しないと判定された場合（ステップＳ４１６／ＮＯ）、端末装置２００は、測定対象のＣＰ長をひとつ以上選択する（ステップＳ４２０）。そして、端末装置２００は、選択したひとつ以上の測定対象のＣＰ長ごとにＣＱＩを測定する（ステップＳ４２２）。
【０２３１】
続いて、上記ステップＳ４２２における測定対象のＣＰ長ごとのＣＱＩの測定について、図２４を参照して説明する。
【０２３２】
図２４は、本実施形態に係る端末装置２００により実行されるＣＰ長ごとのＣＱＩの測定処理の流れの一例を示す図である。図２４に示すように、まず、端末装置２００は、ターゲットＢＬＥＲが基地局１００により設定されているか否かを判定する（ステップＳ５００）。ターゲットＢＬＥＲが基地局１００により設定されていると判定された場合（ステップＳ５００／ＹＥＳ）、端末装置２００は、基地局１００により設定された測定対象のターゲットＢＬＥＲごとにＣＱＩを測定する（ステップＳ５０４）。一方で、ターゲットＢＬＥＲが基地局１００により設定されていないと判定された場合（ステップＳ５００／ＮＯ）、端末装置２００は、測定対象のターゲットＢＬＥＲをひとつ以上選択し（ステップＳ５０２）、選択した測定対象のターゲットＢＬＥＲごとにＣＱＩを測定する（ステップＳ５０４）。
【０２３３】
・報告処理
以下、図２５を参照して、報告処理の流れの一例を説明する。
【０２３４】
図２５は、本実施形態に係る端末装置２００により実行される報告処理の流れの一例を示す図である。図２５に示すように、まず、端末装置２００は、報告を実施するタイミングであるか否かを判定する（ステップＳ６００）。報告を実施するタイミングであると判定されるまで、端末装置２００は待機する（ステップＳ６００／ＮＯ）。一方で、報告を実施するタイミングであると判定された場合（ステップＳ６００／ＹＥＳ）、端末装置２００は、報告対象の波形が基地局１００により設定されているか否かを判定する（ステップＳ６０２）。報告対象の波形が基地局１００により設定されていると判定された場合（ステップＳ６０２／ＹＥＳ）、端末装置２００は、基地局１００により設定された報告対象の波形ごとに測定報告を生成する（ステップＳ６０６）。一方で、報告対象の波形が基地局１００により設定されていないと判定された場合（ステップＳ６０２／ＮＯ）、端末装置２００は、報告対象の波形を１つ以上選択して（ステップＳ６０４）、選択した報告対象の波形ごとに測定報告を生成する（ステップＳ６０６）。そして、端末装置２００、生成した測定報告を基地局１００に報告する（ステップＳ６０８）。
【０２３５】
＜＜４．応用例＞＞
本開示に係る技術は、様々な製品へ応用可能である。例えば、基地局１００は、マクロｅＮＢ又はスモールｅＮＢなどのいずれかの種類のｅＮＢ（evolved  Node  B）として実現されてもよい。スモールｅＮＢは、ピコｅＮＢ、マイクロｅＮＢ又はホーム（フェムト）ｅＮＢなどの、マクロセルよりも小さいセルをカバーするｅＮＢであってよい。その代わりに、基地局１００は、ＮｏｄｅＢ又はＢＴＳ（Base  Transceiver  Station）などの他の種類の基地局として実現されてもよい。基地局１００は、無線通信を制御する本体（基地局装置ともいう）と、本体とは別の場所に配置される１つ以上のＲＲＨ（Remote  Radio  Head）とを含んでもよい。また、後述する様々な種類の端末が一時的に又は半永続的に基地局機能を実行することにより、基地局１００として動作してもよい。
【０２３６】
また、例えば、端末装置２００は、スマートフォン、タブレットＰＣ（Personal  Computer）、ノートＰＣ、携帯型ゲーム端末、携帯型／ドングル型のモバイルルータ若しくはデジタルカメラなどのモバイル端末、又はカーナビゲーション装置などの車載端末として実現されてもよい。また、端末装置２００は、Ｍ２Ｍ（Machine  To  Machine）通信を行う端末（ＭＴＣ（Machine  Type  Communication）端末ともいう）として実現されてもよい。さらに、端末装置２００は、これら端末に搭載される無線通信モジュール（例えば、１つのダイで構成される集積回路モジュール）であってもよい。
【０２３７】
＜４．１．基地局に関する応用例＞
（第１の応用例）
図２６は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【０２３８】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図２６に示したように複数のアンテナ８１０を有し、複数のアンテナ８１０は、例えばｅＮＢ８００が使用する複数の周波数帯域にそれぞれ対応してもよい。なお、図２６にはｅＮＢ８００が複数のアンテナ８１０を有する例を示したが、ｅＮＢ８００は単一のアンテナ８１０を有してもよい。
【０２３９】
基地局装置８２０は、コントローラ８２１、メモリ８２２、ネットワークインタフェース８２３及び無線通信インタフェース８２５を備える。
【０２４０】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０２４１】
ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０２４２】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０２４３】
無線通信インタフェース８２５は、図２６に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図２６に示したように複数のＲＦ回路８２７を含み、複数のＲＦ回路８２７は、例えば複数のアンテナ素子にそれぞれ対応してもよい。なお、図２６には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０２４４】
図２６に示したｅＮＢ８００において、図５等を参照して説明した基地局１００に含まれる１つ以上の構成要素（通信制御部１５１及び／又は測定報告処理部１５３）は、無線通信インタフェース８２５において実装されてもよい。あるいは、これらの構成要素の少なくとも一部は、コントローラ８２１において実装されてもよい。一例として、ｅＮＢ８００は、無線通信インタフェース８２５の一部（例えば、ＢＢプロセッサ８２６）若しくは全部、及び／又はコントローラ８２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８００にインストールされ、無線通信インタフェース８２５（例えば、ＢＢプロセッサ８２６）及び／又はコントローラ８２１が当該プログラムを実行してもよい。以上のように、上記１つ以上の構成要素を備える装置としてｅＮＢ８００、基地局装置８２０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０２４５】
また、図２６に示したｅＮＢ８００において、図５を参照して説明した無線通信部１２０は、無線通信インタフェース８２５（例えば、ＲＦ回路８２７）において実装されてもよい。また、アンテナ部１１０は、アンテナ８１０において実装されてもよい。また、ネットワーク通信部１３０は、コントローラ８２１及び／又はネットワークインタフェース８２３において実装されてもよい。また、記憶部１４０は、メモリ８２２において実装されてもよい。
【０２４６】
（第２の応用例）
図２７は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０２４７】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図２７に示したように複数のアンテナ８４０を有し、複数のアンテナ８４０は、例えばｅＮＢ８３０が使用する複数の周波数帯域にそれぞれ対応してもよい。なお、図２７にはｅＮＢ８３０が複数のアンテナ８４０を有する例を示したが、ｅＮＢ８３０は単一のアンテナ８４０を有してもよい。
【０２４８】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図２６を参照して説明したコントローラ８２１、メモリ８２２及びネットワークインタフェース８２３と同様のものである。
【０２４９】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図２６を参照して説明したＢＢプロセッサ８２６と同様のものである。無線通信インタフェース８５５は、図２７に示したように複数のＢＢプロセッサ８５６を含み、複数のＢＢプロセッサ８５６は、例えばｅＮＢ８３０が使用する複数の周波数帯域にそれぞれ対応してもよい。なお、図２７には無線通信インタフェース８５５が複数のＢＢプロセッサ８５６を含む例を示したが、無線通信インタフェース８５５は単一のＢＢプロセッサ８５６を含んでもよい。
【０２５０】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０２５１】
また、ＲＲＨ８６０は、接続インタフェース８６１及び無線通信インタフェース８６３を備える。
【０２５２】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０２５３】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図２７に示したように複数のＲＦ回路８６４を含み、複数のＲＦ回路８６４は、例えば複数のアンテナ素子にそれぞれ対応してもよい。なお、図２７には無線通信インタフェース８６３が複数のＲＦ回路８６４を含む例を示したが、無線通信インタフェース８６３は単一のＲＦ回路８６４を含んでもよい。
【０２５４】
図２７に示したｅＮＢ８３０において、図５等を参照して説明した基地局１００に含まれる１つ以上の構成要素（通信制御部１５１及び／又は測定報告処理部１５３）は、無線通信インタフェース８５５及び／又は無線通信インタフェース８６３において実装されてもよい。あるいは、これらの構成要素の少なくとも一部は、コントローラ８５１において実装されてもよい。一例として、ｅＮＢ８３０は、無線通信インタフェース８５５の一部（例えば、ＢＢプロセッサ８５６）若しくは全部、及び／又はコントローラ８５１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８３０にインストールされ、無線通信インタフェース８５５（例えば、ＢＢプロセッサ８５６）及び／又はコントローラ８５１が当該プログラムを実行してもよい。以上のように、上記１つ以上の構成要素を備える装置としてｅＮＢ８３０、基地局装置８５０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０２５５】
また、図２７に示したｅＮＢ８３０において、例えば、図５を参照して説明した無線通信部１２０は、無線通信インタフェース８６３（例えば、ＲＦ回路８６４）において実装されてもよい。また、アンテナ部１１０は、アンテナ８４０において実装されてもよい。また、ネットワーク通信部１３０は、コントローラ８５１及び／又はネットワークインタフェース８５３において実装されてもよい。また、記憶部１４０は、メモリ８５２において実装されてもよい。
【０２５６】
＜４．２．端末装置に関する応用例＞
（第１の応用例）
図２８は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２、１つ以上のアンテナスイッチ９１５、１つ以上のアンテナ９１６、バス９１７、バッテリー９１８及び補助コントローラ９１９を備える。
【０２５７】
プロセッサ９０１は、例えばＣＰＵ又はＳｏＣ（System  on  Chip）であってよく、スマートフォン９００のアプリケーションレイヤ及びその他のレイヤの機能を制御する。メモリ９０２は、ＲＡＭ及びＲＯＭを含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０２５８】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０２５９】
無線通信インタフェース９１２は、ＬＴＥ又はＬＴＥ−Ａｄｖａｎｃｅｄなどのいずれかのセルラー通信方式をサポートし、無線通信を実行する。無線通信インタフェース９１２は、典型的には、ＢＢプロセッサ９１３及びＲＦ回路９１４などを含み得る。ＢＢプロセッサ９１３は、例えば、符号化／復号、変調／復調及び多重化／逆多重化などを行なってよく、無線通信のための様々な信号処理を実行する。一方、ＲＦ回路９１４は、ミキサ、フィルタ及びアンプなどを含んでもよく、アンテナ９１６を介して無線信号を送受信する。無線通信インタフェース９１２は、ＢＢプロセッサ９１３及びＲＦ回路９１４を集積したワンチップのモジュールであってもよい。無線通信インタフェース９１２は、図２８に示したように複数のＢＢプロセッサ９１３及び複数のＲＦ回路９１４を含んでもよい。なお、図２８には無線通信インタフェース９１２が複数のＢＢプロセッサ９１３及び複数のＲＦ回路９１４を含む例を示したが、無線通信インタフェース９１２は単一のＢＢプロセッサ９１３又は単一のＲＦ回路９１４を含んでもよい。
【０２６０】
さらに、無線通信インタフェース９１２は、セルラー通信方式に加えて、近距離無線通信方式、近接無線通信方式又は無線ＬＡＮ（Local  Area  Network）方式などの他の種類の無線通信方式をサポートしてもよく、その場合に、無線通信方式ごとのＢＢプロセッサ９１３及びＲＦ回路９１４を含んでもよい。
【０２６１】
アンテナスイッチ９１５の各々は、無線通信インタフェース９１２に含まれる複数の回路（例えば、異なる無線通信方式のための回路）の間でアンテナ９１６の接続先を切り替える。
【０２６２】
アンテナ９１６の各々は、単一の又は複数のアンテナ素子（例えば、ＭＩＭＯアンテナを構成する複数のアンテナ素子）を有し、無線通信インタフェース９１２による無線信号の送受信のために使用される。スマートフォン９００は、図２８に示したように複数のアンテナ９１６を有してもよい。なお、図２８にはスマートフォン９００が複数のアンテナ９１６を有する例を示したが、スマートフォン９００は単一のアンテナ９１６を有してもよい。
【０２６３】
さらに、スマートフォン９００は、無線通信方式ごとにアンテナ９１６を備えてもよい。その場合に、アンテナスイッチ９１５は、スマートフォン９００の構成から省略されてもよい。
【０２６４】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２及び補助コントローラ９１９を互いに接続する。バッテリー９１８は、図中に破線で部分的に示した給電ラインを介して、図２８に示したスマートフォン９００の各ブロックへ電力を供給する。補助コントローラ９１９は、例えば、スリープモードにおいて、スマートフォン９００の必要最低限の機能を動作させる。
【０２６５】
図２８に示したスマートフォン９００において、図６等を参照して説明した端末装置２００に含まれる１つ以上の構成要素（通信制御部２４１及び／又は測定報告処理部２４３）は、無線通信インタフェース９１２において実装されてもよい。あるいは、これらの構成要素の少なくとも一部は、プロセッサ９０１又は補助コントローラ９１９において実装されてもよい。一例として、スマートフォン９００は、無線通信インタフェース９１２の一部（例えば、ＢＢプロセッサ９１３）若しくは全部、プロセッサ９０１、及び／又は補助コントローラ９１９を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがスマートフォン９００にインストールされ、無線通信インタフェース９１２（例えば、ＢＢプロセッサ９１３）、プロセッサ９０１、及び／又は補助コントローラ９１９が当該プログラムを実行してもよい。以上のように、上記１つ以上の構成要素を備える装置としてスマートフォン９００又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０２６６】
また、図２８に示したスマートフォン９００において、例えば、図６を参照して説明した無線通信部２２０は、無線通信インタフェース９１２（例えば、ＲＦ回路９１４）において実装されてもよい。また、アンテナ部２１０は、アンテナ９１６において実装されてもよい。また、記憶部２３０は、メモリ９０２において実装されてもよい。
【０２６７】
（第２の応用例）
図２９は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、１つ以上のアンテナスイッチ９３６、１つ以上のアンテナ９３７及びバッテリー９３８を備える。
【０２６８】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０２６９】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０２７０】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０２７１】
無線通信インタフェース９３３は、ＬＴＥ又はＬＴＥ−Ａｄｖａｎｃｅｄなどのいずれかのセルラー通信方式をサポートし、無線通信を実行する。無線通信インタフェース９３３は、典型的には、ＢＢプロセッサ９３４及びＲＦ回路９３５などを含み得る。ＢＢプロセッサ９３４は、例えば、符号化／復号、変調／復調及び多重化／逆多重化などを行なってよく、無線通信のための様々な信号処理を実行する。一方、ＲＦ回路９３５は、ミキサ、フィルタ及びアンプなどを含んでもよく、アンテナ９３７を介して無線信号を送受信する。無線通信インタフェース９３３は、ＢＢプロセッサ９３４及びＲＦ回路９３５を集積したワンチップのモジュールであってもよい。無線通信インタフェース９３３は、図２９に示したように複数のＢＢプロセッサ９３４及び複数のＲＦ回路９３５を含んでもよい。なお、図２９には無線通信インタフェース９３３が複数のＢＢプロセッサ９３４及び複数のＲＦ回路９３５を含む例を示したが、無線通信インタフェース９３３は単一のＢＢプロセッサ９３４又は単一のＲＦ回路９３５を含んでもよい。
【０２７２】
さらに、無線通信インタフェース９３３は、セルラー通信方式に加えて、近距離無線通信方式、近接無線通信方式又は無線ＬＡＮ方式などの他の種類の無線通信方式をサポートしてもよく、その場合に、無線通信方式ごとのＢＢプロセッサ９３４及びＲＦ回路９３５を含んでもよい。
【０２７３】
アンテナスイッチ９３６の各々は、無線通信インタフェース９３３に含まれる複数の回路（例えば、異なる無線通信方式のための回路）の間でアンテナ９３７の接続先を切り替える。
【０２７４】
アンテナ９３７の各々は、単一の又は複数のアンテナ素子（例えば、ＭＩＭＯアンテナを構成する複数のアンテナ素子）を有し、無線通信インタフェース９３３による無線信号の送受信のために使用される。カーナビゲーション装置９２０は、図２９に示したように複数のアンテナ９３７を有してもよい。なお、図２９にはカーナビゲーション装置９２０が複数のアンテナ９３７を有する例を示したが、カーナビゲーション装置９２０は単一のアンテナ９３７を有してもよい。
【０２７５】
さらに、カーナビゲーション装置９２０は、無線通信方式ごとにアンテナ９３７を備えてもよい。その場合に、アンテナスイッチ９３６は、カーナビゲーション装置９２０の構成から省略されてもよい。
【０２７６】
バッテリー９３８は、図中に破線で部分的に示した給電ラインを介して、図２９に示したカーナビゲーション装置９２０の各ブロックへ電力を供給する。また、バッテリー９３８は、車両側から給電される電力を蓄積する。
【０２７７】
図２９に示したカーナビゲーション装置９２０において、図６等を参照して説明した端末装置２００に含まれる１つ以上の構成要素（通信制御部２４１及び／又は測定報告処理部２４３）は、無線通信インタフェース９３３において実装されてもよい。あるいは、これらの構成要素の少なくとも一部は、プロセッサ９２１において実装されてもよい。一例として、カーナビゲーション装置９２０は、無線通信インタフェース９３３の一部（例えば、ＢＢプロセッサ９３４）若しくは全部及び／又はプロセッサ９２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがカーナビゲーション装置９２０にインストールされ、無線通信インタフェース９３３（例えば、ＢＢプロセッサ９３４）及び／又はプロセッサ９２１が当該プログラムを実行してもよい。以上のように、上記１つ以上の構成要素を備える装置としてカーナビゲーション装置９２０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０２７８】
また、図２９に示したカーナビゲーション装置９２０において、例えば、図６を参照して説明した無線通信部２２０は、無線通信インタフェース９３３（例えば、ＲＦ回路９３５）において実装されてもよい。また、アンテナ部２１０は、アンテナ９３７において実装されてもよい。また、記憶部２３０は、メモリ９２２において実装されてもよい。
【０２７９】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。車両側モジュール９４２は、車速、エンジン回転数又は故障情報などの車両側データを生成し、生成したデータを車載ネットワーク９４１へ出力する。
【０２８０】
＜＜５．まとめ＞＞
以上、図１〜図２９を参照して、本開示の一実施形態について詳細に説明した。上記説明したように、本実施形態に係るシステム１は、単位リソースにおいて複数の通信パラメータセットを混在させた通信が可能である。そのようなシステム１において、基地局１００は、端末装置２００による測定報告処理の対象とする第２の通信パラメータセットの設定を端末装置２００に行う。端末装置２００は、基地局１００により設定された第２の通信パラメータセットに基づいて、基地局１００から受信した信号を測定し測定結果を示す情報を端末装置２００に報告する。このように、測定報告処理の対象とする第２の通信パラメータセットを基地局１００が設定することが可能であり、端末装置２００は、その設定に基づいて測定報告処理を行うことが可能である。第２の通信パラメータセットの設定及びそれに基づく測定報告処理が行われることで、複数の通信パラメータセットを混在させて通信する通信システムにおける測定報告処理が適切に行われる。
【０２８１】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０２８２】
例えば、上記では、主にダウンリンクの参照信号に基づく測定報告処理について説明したが、アップリンクの参照信号に基づく測定報告処理についても本技術は適用可能である。その場合、参照信号は、例えばＳＲＳ（Sounding  Reference  Signal）であってもよい。
【０２８３】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０２８４】
なお、以下のような構成も本開示の技術的範囲に属する。
（１）
単位リソースにおいて複数の第１の通信パラメータセットを用いた通信が可能な基地局へ測定報告処理のトリガ情報を通知し、前記基地局により前記トリガ情報に基づいて設定された、測定報告処理の対象とする第２の通信パラメータセットに基づいて、前記基地局から受信した信号を測定し測定結果を示す情報を前記基地局に報告する測定報告処理部、
を備える通信装置。
（２）
前記測定報告処理部は、受信したひとつの前記信号について、設定された複数の前記第２の通信パラメータセットの各々に基づいて測定する、前記（１）に記載の通信装置。
（３）
前記信号の送信に用いられる前記第１の通信パラメータセットと少なくともひとつの前記第２の通信パラメータセットとは異なる、前記（２）に記載の通信装置。
（４）
第２の通信パラメータセットは、波形及び物理層パラメータを含む、前記（１）〜（３）のいずれか一項に記載の通信装置。
（５）
第２の通信パラメータセットは、波形、周波数範囲、ＣＰ（Cyclic  Prefix）長、スロット長、又はターゲットＢＬＥＲ（Block  Error  Rate）の少なくとも１つ以上を含む、前記（４）に記載の通信装置。
（６）
前記測定結果を示す情報は、前記測定報告処理の対象とした波形を示す情報を含む、前記（４）又は（５）に記載の通信装置。
（７）
前記トリガ情報は、測定報告処理の実施要求、前記基地局からの信号の受信応答、又は前記測定結果を示す情報の少なくともいずれかである、前記（１）〜（６）のいずれか一項に記載の通信装置。
（８）
単位リソースにおいて複数の第１の通信パラメータセットを用いて通信装置と通信する通信制御部と、
前記通信装置からの測定報告処理のトリガ情報の通知に基づいて、前記通信装置による測定報告処理の対象とする第２の通信パラメータセットの設定を前記通信装置に行う測定報告処理部と、
を備える基地局。
（９）
前記通信制御部は、前記通信装置による第２の通信パラメータセットに基づく測定結果を示す情報に基づいて、前記第１の通信パラメータセットを制御する、前記（８）に記載の基地局。
（１０）
前記測定報告処理部は、前記通信装置による第２の通信パラメータセットに基づく測定結果を示す情報に基づいて、前記第２の通信パラメータセットを制御する、前記（８）又は（９）に記載の基地局。
（１１）
前記測定報告処理部は、前記通信装置による測定結果を示す情報の報告に用いられるリソースを前記通信装置に設定する、前記（８）〜（１０）のいずれか一項に記載の基地局。
（１２）
単位リソースにおいて複数の第１の通信パラメータセットを用いた通信が可能な基地局へ測定報告処理のトリガ情報を通知し、前記基地局により前記トリガ情報に基づいて設定された、測定報告処理の対象とする第２の通信パラメータセットに基づいて、前記基地局から受信した信号を測定し測定結果を示す情報を前記基地局に報告すること、
を含むプロセッサにより実行される方法。
（１３）
単位リソースにおいて複数の第１の通信パラメータセットを用いて通信装置と通信することと、
前記通信装置からの測定報告処理のトリガ情報の通知に基づいて、前記通信装置による測定報告処理の対象とする第２の通信パラメータセットの設定を前記通信装置に行うことと、
を含むプロセッサにより実行される方法。
（１４）
コンピュータを、
単位リソースにおいて複数の第１の通信パラメータセットを用いた通信が可能な基地局へ測定報告処理のトリガ情報を通知し、前記基地局により前記トリガ情報に基づいて設定された、測定報告処理の対象とする第２の通信パラメータセットに基づいて、前記基地局から受信した信号を測定し測定結果を示す情報を前記基地局に報告する測定報告処理部、
として機能させるためのプログラムが記録された記録媒体。
（１５）
コンピュータを、
単位リソースにおいて複数の第１の通信パラメータセットを用いて通信装置と通信する通信制御部と、
前記通信装置からの測定報告処理のトリガ情報の通知に基づいて、前記通信装置による測定報告処理の対象とする第２の通信パラメータセットの設定を前記通信装置に行う測定報告処理部と、
として機能させるためのプログラムが記録された記録媒体。
【符号の説明】
【０２８５】
１    システム
１００    基地局
１０２    部品
１１０    アンテナ部
１２０    無線通信部
１３０    ネットワーク通信部
１４０    記憶部
１５０    処理部
１５１    通信制御部
１５３    測定報告処理部
２００    端末装置
２１０    アンテナ部
２２０    無線通信部
２３０    記憶部
２４０    処理部
２４１    通信制御部
２４３    測定報告処理部
【図１】
2018196005.tif 000031
【図２】
2018196005.tif 000032
【図３】
2018196005.tif 000033
【図４】
2018196005.tif 000034
【図５】
2018196005.tif 000035
【図６】
2018196005.tif 000036
【図７】
2018196005.tif 000037
【図８】
2018196005.tif 000038
【図９】
2018196005.tif 000039
【図１０】
2018196005.tif 000040
【図１１】
2018196005.tif 000041
【図１２】
2018196005.tif 000042
【図１３】
2018196005.tif 000043
【図１４】
2018196005.tif 000044
【図１５】
2018196005.tif 000045
【図１６】
2018196005.tif 000046
【図１７】
2018196005.tif 000047
【図１８】
2018196005.tif 000048
【図１９】
2018196005.tif 000049
【図２０】
2018196005.tif 000050
【図２１】
2018196005.tif 000051
【図２２】
2018196005.tif 000052
【図２３】
2018196005.tif 000053
【図２４】
2018196005.tif 000054
【図２５】
2018196005.tif 000055
【図２６】
2018196005.tif 000056
【図２７】
2018196005.tif 000057
【図２８】
2018196005.tif 000058
【図２９】
2018196005.tif 000059